(57)【要約】  無線パケットを受信又は送信する方法及びデバイスが説明される。無線パケットは、ショートトレーニングフィールド（ＳＴＦ）及びチャネル推定フィールド（ＣＥＦ）を含む。受信機は、受信ＳＴＦがターゲットリンクに対して割り当てられた割り当てＳＴＦとマッチするかどうかを、ＳＴＦとＧｏｌａｙ系列のペアである少なくとも４つの異なるコンポーネント系列のセットからのコンポーネント系列との間の相互相関を実行することにより決定する。相互相関出力は、予期された出力と比較される。受信ＳＴＦが割り当てＳＴＦとマッチするとき、無線パケットはターゲットパケットとみなされる。受信ＣＥＦの、ターゲットリンクに対して割り当てられた割り当てＣＥＦとの相互相関を使用して、チャネル推定が実行される。割り当てＣＥＦは２つ以上のＣＥＦのセットからのものであり、各ＣＥＦはコンポーネント系列のセットを使用して形成され、ＣＥＦはペアごとのゼロ相関ゾーン（ＺＣＺ）系列である。
2021501520.tif 000002
【特許請求の範囲】
【請求項１】
受信機における方法であって、
受信ショートトレーニングフィールド（ＳＴＦ）及び受信チャネル推定フィールド（ＣＥＦ）を含む無線パケットを受信するステップと、
前記ＳＴＦと少なくとも４つの異なるコンポーネント系列のセットからの少なくとも１つのコンポーネント系列との間の相互相関を実行することであり、前記コンポーネント系列のセットはＧｏｌａｙ系列のペアのセットであることと、前記相互相関の出力を予期された出力と比較することとにより、前記受信ＳＴＦが前記受信機のターゲットリンクに対して割り当てられた割り当てＳＴＦとマッチするかどうかを決定するステップであり、前記受信ＳＴＦが前記割り当てＳＴＦとマッチするとき、前記無線パケットは前記受信機の前記ターゲットリンクに対するターゲットパケットであると決定される、ステップと、
前記受信ＣＥＦの、前記受信機の前記ターゲットリンクに対して割り当てられた割り当てＣＥＦとの相互相関を実行することにより、チャネル推定を実行するステップであり、前記割り当てＣＥＦは２つ以上のＣＥＦのセットから割り当てられ、前記ＣＥＦのセット内の各ＣＥＦは前記少なくとも４つの異なるコンポーネント系列のセットからの１つ以上の系列を使用して形成され、前記ＣＥＦのセット内の前記ＣＥＦはペアごとのゼロ相関ゾーン（ＺＣＺ）系列であり、それにより、ＣＥＦの各ペアはＺＣＺにわたり無視可能な相互相関出力を有し、各ＣＥＦは前記ＺＣＺにわたりデルタ関数自己相関を有する、ステップと、
前記無線パケットがターゲットパケットであるかどうかに基づいて、前記無線パケットの残り部分を復調し、あるいは無視するステップと、
を含む方法。
【請求項２】
前記少なくとも４つの異なるコンポーネント系列のセットは、系列Ｇｃ１２８又は系列Ｇｄ１２８のうち少なくとも１つを含み、
【表１】
2021501520.tif 000013
請求項１に記載の方法。
【請求項３】
前記少なくとも４つの異なるコンポーネント系列のセットは、前記系列Ｇｃ１２８及びＧｄ１２８の双方を含む、請求項２に記載の方法。
【請求項４】
前記少なくとも４つの異なるコンポーネント系列のセットは、系列Ｇａ１２８及び系列Ｇｂ１２８をさらに含み、
【表２】
2021501520.tif 000014
請求項３に記載の方法。
【請求項５】
前記相互相関の出力を予期された出力と比較するステップは、
前記少なくとも１つのコンポーネント系列と前記受信ＳＴＦとの間の相互相関ピーク数を決定するステップと、
前記決定された相互相関ピーク数を、前記割り当てＳＴＦに対して予期された相互相関ピーク数と比較するステップと、を含み、
前記決定された相互相関ピーク数と前記予期された相互相関ピーク数との間のマッチは、前記無線パケットが前記受信機の前記ターゲットリンクで送信されたターゲットパケットであることを示す、請求項１乃至４のうちいずれか１項に記載の方法。
【請求項６】
前記無線パケットが前記受信機のターゲットパケットであると決定した後、前記受信ＣＥＦと前記割り当てＣＥＦとの相互相関に基づいて前記ターゲットリンクの前記チャネル推定を実行するステップと、
少なくとも前記ターゲットリンクの前記チャネル推定に基づいて、前記無線パケットの前記残り部分のペイロードを復調するステップと、
をさらに含む請求項１乃至５のうちいずれか１項に記載の方法。
【請求項７】
前記無線パケットが前記受信機のターゲットパケットでないと決定した後、前記受信ＣＥＦと、前記ＣＥＦのセット内の前記割り当てＣＥＦ以外の別のＣＥＦとの相互相関に基づいて、干渉リンクについて前記チャネル推定を実行するステップと、
前記無線パケットの前記残り部分を無視するステップと、
をさらに含む請求項１乃至６のうちいずれか１項に記載の方法。
【請求項８】
前記無線パケットが前記受信機のターゲットパケットであるかどうかを決定するために使用される前記割り当てＳＴＦの指標をネットワークコントローラから受信するステップ、
をさらに含む請求項１乃至７のうちいずれか１項に記載の方法。
【請求項９】
測定された同一チャネル干渉条件に関する情報を前記ネットワークコントローラに送信するステップ、をさらに含み、
前記割り当て系列は、測定された同一チャネル干渉条件に関する前記情報に基づいて前記ネットワークコントローラにより割り当てられる、請求項８に記載の方法。
【請求項１０】
前記少なくとも４つの異なるコンポーネント系列のセットからの複数の割り当てＳＴＦ又は割り当てコンポーネント系列を記憶するステップであり、各割り当てＳＴＦ又は割り当てコンポーネント系列はそれぞれのリンクに割り当てられる、ステップと、
前記無線パケットが前記受信機のターゲットパケットであるかどうかを決定するために前記複数の割り当てＳＴＦ又は割り当てコンポーネント系列のうちいずれを使用するかを、前記受信機のターゲットパケットの前記リンクに基づいて決定するステップと、
をさらに含む、請求項１乃至９のうちいずれか１項に記載の方法。
【請求項１１】
送信機における方法であって、
少なくとも１つの割り当てショートトレーニングフィールド（ＳＴＦ）系列及び少なくとも１つの割り当てチャネル推定フィールド（ＣＥＦ）系列を記憶するステップであり、
前記割り当てＳＴＦ系列は少なくとも４つの異なるコンポーネント系列のセットのうち１つのコンポーネント系列から形成され、前記少なくとも４つの異なるコンポーネント系列のセットはＧｏｌａｙ系列のペアのセットであり、
前記割り当てＣＥＦ系列は２つ以上のＣＥＦのセットからのものであり、前記ＣＥＦのセット内の各ＣＥＦは前記少なくとも４つの異なるコンポーネント系列のセットのうち１つ以上の系列から形成され、前記ＣＥＦのセット内の前記ＣＥＦはペアごとのゼロ相関ゾーン（ＺＣＺ）系列であり、それにより、ＣＥＦの各ペアはＺＣＺにわたり無視可能な相互相関出力を有し、各ＣＥＦは前記ＺＣＺにわたりデルタ関数自己相関を有する、ステップと、
前記割り当てＳＴＦ系列及び前記割り当てＣＥＦ系列を含む無線パケットを生成するステップと、
前記無線パケットを送信リンクを通じて送信するステップと、
を含む方法。
【請求項１２】
前記少なくとも４つの異なるコンポーネント系列のセットは、系列Ｇｃ１２８又は系列Ｇｄ１２８のうち少なくとも１つを含み、
【表３】
2021501520.tif 000015
請求項１１に記載の方法。
【請求項１３】
前記少なくとも４つの異なるコンポーネント系列のセットは、前記系列Ｇｃ１２８及びＧｄ１２８の双方を含む、請求項１２に記載の方法。
【請求項１４】
前記少なくとも４つの異なるコンポーネント系列のセットは、系列Ｇａ１２８及び系列Ｇｂ１２８をさらに含み、
【表４】
2021501520.tif 000016
請求項１２に記載の方法。
【請求項１５】
前記割り当てＳＴＦ系列及び前記割り当てＣＥＦ系列の指標をネットワークコントローラから受信するステップ、
をさらに含む請求項１１乃至１４のうちいずれか１項に記載の方法。
【請求項１６】
測定された同一チャネル干渉条件に関する情報を前記ネットワークコントローラに送信するステップ、をさらに含み、
前記割り当てＳＴＦ系列及び割り当てＣＥＦ系列は、測定された同一チャネル干渉条件に関する前記情報に基づいて前記ネットワークコントローラにより割り当てられる、請求項１５に記載の方法。
【請求項１７】
複数の割り当てＳＴＦ系列及び複数の割り当てＣＥＦ系列を記憶するステップであり、各割り当てＳＴＦ系列及び各割り当てＣＥＦ系列はそれぞれの送信リンクに割り当てられる、ステップと、
前記無線パケットを生成するために前記複数の割り当てＳＴＦ系列のうちいずれを、及び前記複数の割り当てＣＥＦ系列のうちいずれを使用するかを、前記送信リンクの少なくとも１つに依存して決定するステップと、
をさらに含む請求項１１乃至１６のうちいずれか１項に記載の方法。
【請求項１８】
ミリメートル波（ミリ波）無線通信ネットワークにおけるデバイスであって、
ターゲットリンクを通じて無線パケットを受信する受信機と、
メモリと、
前記受信機及び前記メモリに結合されたプロセッサと、を含み、前記プロセッサは、命令を実行して当該デバイスに、
受信ショートトレーニングフィールド（ＳＴＦ）及び受信チャネル推定フィールド（ＣＥＦ）を含む無線パケットを受信し、
前記ＳＴＦと少なくとも４つの異なるコンポーネント系列のセットからの少なくとも１つのコンポーネント系列との間の相互相関を実行することであり、前記少なくとも４つの異なるコンポーネント系列のセットはＧｏｌａｙ系列のペアのセットであることと、前記相互相関の出力を予期された出力と比較することとにより、前記受信ＳＴＦが前記受信機のターゲットリンクに対して割り当てられた割り当てＳＴＦとマッチするかどうかを決定し、前記受信ＳＴＦが前記割り当てＳＴＦとマッチするとき、前記無線パケットは前記受信機の前記ターゲットリンクに対するターゲットパケットであると決定され、
前記受信ＣＥＦの、前記受信機の前記ターゲットリンクに対して割り当てられた割り当てＣＥＦとの相互相関を実行することにより、チャネル推定を実行し、前記割り当てＣＥＦは２つ以上のＣＥＦのセットから割り当てられ、前記ＣＥＦのセット内の各ＣＥＦは前記少なくとも４つの異なるコンポーネント系列のセットからの１つ以上の系列を使用して形成され、前記ＣＥＦのセット内の前記ＣＥＦは、ペアごとのゼロ相関ゾーン（ＺＣＺ）系列であり、それにより、ＣＥＦの各ペアはＺＣＺにわたり無視可能な相互相関出力を有し、各ＣＥＦは前記ＺＣＺにわたりデルタ関数自己相関を有し、
前記無線パケットがターゲットパケットであるかどうかに基づいて、前記無線パケットの残り部分を復調し、あるいは無視する
ことをさせる、デバイス。
【請求項１９】
ミリメートル波（ミリ波）無線通信ネットワークにおけるデバイスであって、
送信リンクを通じて無線パケットを送信する送信機と、
メモリと、
前記受信機及び前記メモリに結合されたプロセッサと、を含み、前記プロセッサは、命令を実行して当該デバイスに、
少なくとも１つの割り当てショートトレーニングフィールド（ＳＴＦ）系列及び少なくとも１つの割り当てチャネル推定フィールド（ＣＥＦ）系列を記憶し、
前記割り当てＳＴＦ系列は少なくとも４つの異なるコンポーネント系列のセットのうち１つのコンポーネント系列から形成され、前記少なくとも４つの異なるコンポーネント系列のセットはＧｏｌａｙ系列のペアのセットであり、
前記割り当てＣＥＦ系列は２つ以上のＣＥＦのセットからのものであり、前記ＣＥＦのセット内の各ＣＥＦは前記少なくとも４つの異なるコンポーネント系列のセットのうち１つ以上の系列から形成され、前記ＣＥＦのセット内の前記ＣＥＦはペアごとのゼロ相関ゾーン（ＺＣＺ）系列であり、それにより、ＣＥＦの各ペアはＺＣＺにわたり無視可能な相互相関出力を有し、各ＣＥＦは前記ＺＣＺにわたりデルタ関数自己相関を有し、
前記割り当てＳＴＦ系列及び前記割り当てＣＥＦ系列を含む無線パケットを生成し、
前記無線パケットを送信リンクを通じて送信する
ことをさせる、デバイス。
【発明の詳細な説明】
【技術分野】
【０００１】
［関連出願の相互参照］
本開示は、2017年10月31日に出願され「CO-CHANNEL  INTERFERENCE  REDUCTION  IN  MMWAVE  NETWORKS」と題された米国仮特許出願第62/579,659号、及び2018年10月1日に出願され「CO-CHANNEL  INTERFERENCE  REDUCTION  IN  MMWAVE  NETWORKS」と題された米国特許出願第16/148,374号の優先権を主張するものであり、これらの内容はその全体が参照により本明細書に組み込まれる。
【０００２】
［技術分野］
本開示は、概して無線ネットワークに関し、特定の実施形態では、ミリメートル波（millimeter  wave）（ミリ波（mmWave））ネットワークの高密度展開における同期及びチャネル推定のための手法及びメカニズムに関する。
【背景技術】
【０００３】
高精細（high-definition、ＨＤ）ディスプレイ及び他のアプリケーションのますますの需要により、また、スマートフォン及びタブレット端末の広範な使用により、ミリメートル波（ミリ波（mmWave））帯でより高いデータレートで伝送が可能な次世代ＷＬＡＮが必要とされている。ＩＥＥＥ８０２．１１ａｄ（指向性マルチギガビット（directional  multi-gigabit、ＤＭＧ））仕様は、世界的にライセンスされていない６０ＧＨｚ帯、例えば５７〜７１ＧＨｚで動作するＷＬＡＮ技術を提供する。ＩＥＥＥ８０２．１１ａｙ（進化型ＤＭＧ（evolved  DMG、ＥＤＭＧ））などの次世代６０ＧＨｚＷＬＡＮ（ＥＤＭＧ）が現在開発されており、これは、８０２．１１ａｄよりさらに高い性能が可能であり、また、８０２．１１ａｄとの下位互換性及び共存を提供する。
【０００４】
トレーニング系列は、送信機及び受信機の双方に知られている系列又は波形の形式を典型的にとる。トレーニング系列は、主に同期及びチャネル推定の目的で使用され、受信機側で典型的にはブラインドで検出可能な他の情報（例えば、シグナリング又はユーザ情報等）を搬送することもある。ＩＥＥＥ８０２．１１ａｄ仕様は、トレーニング系列のための２つのフィールド、すなわちショートトレーニングフィールド（short  training  field、ＳＴＦ）とチャネル推定フィールド（channel  estimation  field、ＣＥＦ）を含むフレーム構造を定義している。チャネル推定フィールド（ＣＥＦ）は、より微細な同期のために使用される。
【０００５】
ＩＥＥＥ８０２．１１ａｙなどの次世代ｍｍＷａｖｅネットワークの文脈において同一チャネル干渉を緩和することができる改善されたトレーニング系列を提供することは有用であろう。
【発明の概要】
【０００６】
少なくともいくつかの例において、本明細書に開示される方法及びシステムは、同じ時間期間及び同じスペクトルを共有する通信リンク間の同一チャネル干渉を低減するのに役立ち得る新しいＳＴＦ及びＣＥＦを導入する。少なくともいくつかの例において、ＳＴＦ及びＣＥＦが使用されて、アクセスポイント（access  point、ＡＰ）及びステーション（station、ＳＴＡ）がｍｍＷａｖｅにおける空間共有に起因する潜在的な同一チャネル干渉を検出し、ターゲットチャネル及び干渉チャネルを推定し、及び／又は同一チャネル干渉を緩和することを可能にする。
【０００７】
いくつかの態様において、本開示は受信機における方法を説明する。当該方法は、プリアンブルコンポーネント系列のセット内の複数のプリアンブルコンポーネント系列のうちいずれが受信機のターゲットチャネルに対して割り当てられるかを決定するステップを含み、該セットのプリアンブルコンポーネント系列の任意のペアが、ゼロ相関ゾーン（zero-correlation-zone、ＺＣＺ）を提供するように相互相関する。当該方法は、ショートトレーニングフィールド（ＳＴＦ）及びチャネル推定フィールド（ＣＥＦ）を含む無線パケットを受信するステップをさらに含む。当該方法は、セット内のプリアンブルコンポーネント系列の各々について、プリアンブルコンポーネント系列とＳＴＦとの間の相互相関ピーク数を決定するステップをさらに含む。当該方法は、プリアンブルコンポーネント系列の各々についての相互相関ピーク数に基づいて、無線パケットが受信機のターゲットチャネルで送信されたターゲットパケットか、又は無線パケットが受信機に対して送信されなかった干渉パケットかを決定するステップをさらに含む。当該方法は、無線パケットがターゲットパケットであると決定された場合、受信ＣＥＦと割り当てターゲットＣＥＦ系列との相互相関に基づいてターゲットチャネルを推定するステップをさらに含む。当該方法は、無線パケットが干渉パケットであると決定された場合、受信ＣＥＦと、割り当てターゲットＣＥＦ系列以外のＣＥＦ系列との相互相関に基づいて、干渉チャネルを推定するステップをさらに含む。当該方法は、無線パケットがターゲットパケットである場合、少なくともターゲットチャネルのチャネル推定に基づいて無線パケットのペイロードを復調するステップをさらに含む。
【０００８】
いくつかの態様において、本開示は受信機における方法を提供する。当該方法は、受信ショートトレーニングフィールド（ＳＴＦ）及び受信チャネル推定フィールド（ＣＥＦ）を含む無線パケットを受信するステップを含む。当該方法は、ＳＴＦと少なくとも４つの異なるコンポーネント系列のセットからの少なくとも１つのコンポーネント系列との間の相互相関を実行することであり、少なくとも４つの異なるコンポーネント系列のセットはＧｏｌａｙ系列のペアのセットであることと、相互相関の出力を予期された出力と比較することとにより、受信ＳＴＦが受信機のターゲットリンクに対して割り当てられた割り当てＳＴＦとマッチするかどうかを決定するステップをさらに含み、受信ＳＴＦが割り当てＳＴＦとマッチするとき、無線パケットは受信機のターゲットリンクに対するターゲットパケットであると決定される。当該方法は、受信ＣＥＦと、受信機のターゲットリンクに対して割り当てられた割り当てＣＥＦとの相互相関を実行することにより、チャネル推定を実行するステップをさらに含み、割り当てＣＥＦは２つ以上のＣＥＦのセットから割り当てられ、ＣＥＦのセット内の各ＣＥＦは少なくとも４つの異なるコンポーネント系列のセットからの１つ以上の系列を使用して形成され、ＣＥＦのセット内のＣＥＦはペアごとの（pairwise）ゼロ相関ゾーン（ＺＣＺ）系列であり、それにより、ＣＥＦの各ペアはＺＣＺにわたり無視可能な相互相関出力を有し、各ＣＥＦはＺＣＺにわたりデルタ関数自己相関を有する。当該方法は、無線パケットがターゲットパケットであるかどうかに基づいて、無線パケットの残り部分を復調し、あるいは無視するステップをさらに含む。
【０００９】
前述の態様／実施形態のいずれかにおいて、少なくとも４つの異なるコンポーネント系列のセットは、系列Ｇｃ１２８又は系列Ｇｄ１２８のうちの少なくとも１つを含んでもよく、
【表１】
2021501520.tif 000003
【００１０】
前述の態様／実施形態のいずれかにおいて、少なくとも４つの異なるコンポーネント系列のセットは、系列Ｇｃ１２８及びＧｄ１２８の双方を含んでもよい。
【００１１】
前述の態様／実施形態のいずれかにおいて、少なくとも４つの異なるコンポーネント系列のセットは、系列Ｇａ１２８及び系列Ｇｂ１２８を含んでもよく、
【表２】
2021501520.tif 000004
【００１２】
前述の態様／実施形態のいずれかにおいて、相互相関の出力を予期された出力と比較するステップは、少なくとも１つのコンポーネント系列と受信ＳＴＦとの間の相互相関ピーク数を決定するステップと、決定された相互相関ピーク数を、割り当てＳＴＦに対して予期された相互相関ピーク数と比較するステップと、を含んでもよい。決定された相互相関ピーク数と予期された相互相関ピーク数との間のマッチは、無線パケットが受信機のターゲットリンクで送信されたターゲットパケットであることを示し得る。
【００１３】
前述の態様／実施形態のいずれかにおいて、当該方法は、無線パケットが受信機のターゲットパケットであると決定した後、受信ＣＥＦと割り当てＣＥＦとの相互相関に基づいてターゲットリンクのチャネル推定を実行するステップと、少なくともターゲットリンクのチャネル推定に基づいて、無線パケットの残り部分のペイロードを復調するステップと、をさらに含んでもよい。
【００１４】
前述の態様／実施形態のいずれかにおいて、当該方法は、無線パケットが受信機のターゲットパケットでないと決定した後、受信ＣＥＦと、ＣＥＦのセット内の割り当てＣＥＦ以外の別のＣＥＦとの相互相関に基づいて、干渉リンクについてチャネル推定を実行するステップと、無線パケットの残り部分を無視するステップと、をさらに含んでもよい。
【００１５】
前述の態様／実施形態のいずれかにおいて、当該方法は、無線パケットが受信機のターゲットパケットであるかどうかを決定するために使用される割り当てＳＴＦの指標をネットワークコントローラから受信するステップ、をさらに含んでもよい。
【００１６】
前述の態様／実施形態のいずれかにおいて、当該方法は、測定された同一チャネル干渉条件に関する情報をネットワークコントローラに送信するステップ、をさらに含んでもよい。割り当て系列は、測定された同一チャネル干渉条件に関する情報に基づいてネットワークコントローラにより割り当てられてもよい。
【００１７】
前述の態様／実施形態のいずれかにおいて、当該方法は、少なくとも４つの異なるコンポーネント系列のセットからの複数の割り当てＳＴＦ又は割り当てコンポーネント系列を記憶するステップであり、各割り当てＳＴＦ又は割り当てコンポーネント系列はそれぞれのリンクに割り当てられる、ステップと、無線パケットが受信機のターゲットパケットであるかどうかを決定するために複数の割り当てＳＴＦ又は割り当てコンポーネント系列のうちいずれを使用するかを、受信機のターゲットパケットのリンクに基づいて決定するステップと、をさらに含んでもよい。
【００１８】
いくつかの態様において、本開示は送信機における方法を説明する。当該方法は、少なくとも１つの割り当てショートトレーニングフィールド（ＳＴＦ）系列及び少なくとも１つの割り当てチャネル推定フィールド（ＣＥＦ）系列を記憶するステップを含む。割り当てＳＴＦ系列は少なくとも４つの異なるコンポーネント系列のセットのうち１つのコンポーネント系列から形成され、少なくとも４つの異なるコンポーネント系列のセットはＧｏｌａｙ系列のペアのセットである。割り当てＣＥＦ系列は２つ以上のＣＥＦのセットからのものであり、ＣＥＦのセット内の各ＣＥＦはコンポーネント系列のセットのうち１つ以上の系列から形成され、ＣＥＦのセット内のＣＥＦはペアごとのゼロ相関ゾーン（ＺＣＺ）系列であり、それにより、ＣＥＦの各ペアはＺＣＺにわたり無視可能な相互相関出力を有し、各ＣＥＦはＺＣＺにわたりデルタ関数自己相関を有する。当該方法は、割り当てＳＴＦ系列及び割り当てＣＥＦ系列を含む無線パケットを生成するステップをさらに含む。当該方法は、無線パケットを送信リンクを通じて送信するステップをさらに含む。
【００１９】
前述の態様／実施形態のいずれかにおいて、少なくとも４つの異なるコンポーネント系列のセットは、系列Ｇｃ１２８又は系列Ｇｄ１２８のうちの少なくとも１つを含んでもよく、
【表３】
2021501520.tif 000005
【００２０】
前述の態様／実施形態のいずれかにおいて、少なくとも４つの異なるコンポーネント系列のセットは、系列Ｇｃ１２８及びＧｄ１２８の双方を含んでもよい。
【００２１】
前述の態様／実施形態のいずれかにおいて、少なくとも４つの異なるコンポーネント系列のセットは、系列Ｇａ１２８及び系列Ｇｂ１２８を含んでもよく、
【表４】
2021501520.tif 000006
【００２２】
前述の態様／実施形態のいずれかにおいて、当該方法は、割り当てＳＴＦ系列及び割り当てＣＥＦ系列の指標をネットワークコントローラから受信するステップをさらに含んでもよい。
【００２３】
前述の態様／実施形態のいずれかにおいて、当該方法は、測定された同一チャネル干渉条件に関する情報をネットワークコントローラに送信するステップ、をさらに含んでもよい。割り当てＳＴＦ系列及び割り当てＣＥＦ系列は、測定された同一チャネル干渉条件に関する情報に基づいて前記ネットワークコントローラにより割り当てられてもよい。
【００２４】
前述の態様／実施形態のいずれかにおいて、当該方法は、複数の割り当てＳＴＦ系列及び複数の割り当てＣＥＦ系列を記憶するステップであり、各割り当てＳＴＦ系列及び各割り当てＣＥＦ系列はそれぞれの送信リンクに割り当てられる、ステップと、無線パケットを生成するために複数の割り当てＳＴＦ系列のうちいずれを、及び複数の割り当てＣＥＦ系列のうちいずれを使用するかを、送信リンクの少なくとも１つに依存して決定するステップと、をさらに含んでもよい。
【００２５】
いくつかの態様において、本開示はミリメートル波（ミリ波（mmWave））無線通信ネットワークにおけるデバイスを説明する。当該デバイスは、ターゲットリンクを通じて無線パケットを受信する受信機と、メモリと、受信機及びメモリに結合されたプロセッサとを含む。プロセッサは、命令を実行して当該デバイスに、受信ショートトレーニングフィールド（ＳＴＦ）及び受信チャネル推定フィールド（ＣＥＦ）を含む無線パケットをデバイスに受信することをさせるように構成される。命令はさらに、当該デバイスに、ＳＴＦと少なくとも４つの異なるコンポーネント系列のセットからの少なくとも１つのコンポーネント系列との間の相互相関を実行することであり、少なくとも４つの異なるコンポーネント系列のセットはＧｏｌａｙ系列のペアのセットであることと、相互相関の出力を予期された出力と比較することとにより、受信ＳＴＦが受信機のターゲットリンクに対して割り当てられた割り当てＳＴＦとマッチするかどうかを決定することをさせ、受信ＳＴＦが割り当てＳＴＦとマッチするとき、無線パケットは受信機のターゲットリンクに対するターゲットパケットであると決定される。命令はさらに、当該デバイスに、受信ＣＥＦの、受信機のターゲットリンクに対して割り当てられた割り当てＣＥＦとの相互相関を実行することにより、チャネル推定を実行することをさせ、割り当てＣＥＦは２つ以上のＣＥＦのセットから割り当てられ、ＣＥＦのセット内の各ＣＥＦは少なくとも４つの異なるコンポーネント系列のセットからの１つ以上の系列を使用して形成され、ＣＥＦのセット内のＣＥＦはペアごとのゼロ相関ゾーン（ＺＣＺ）系列であり、それにより、ＣＥＦの各ペアはＺＣＺにわたり無視可能な相互相関出力を有し、各ＣＥＦはＺＣＺにわたりデルタ関数自己相関を有する。命令はさらに、当該デバイスに、無線パケットがターゲットパケットであるかどうかに基づいて、無線パケットの残り部分を復調し、あるいは無視することをさせる。
【００２６】
命令は、当該デバイスに、上述された態様／実施形態のいずれかを実行させてもよい。
【００２７】
いくつかの態様において、本開示はミリメートル波（ミリ波（mmWave））無線通信ネットワークにおけるデバイスを説明する。当該デバイスは、送信リンクを通じて無線パケットを送信する送信機と、メモリと、受信機及びメモリに結合されたプロセッサとを含む。プロセッサは、命令を実行して当該デバイスに、少なくとも１つの割り当てショートトレーニングフィールド（ＳＴＦ）系列及び少なくとも１つの割り当てチャネル推定フィールド（ＣＥＦ）系列を記憶することをさせるように構成される。割り当てＳＴＦ系列は少なくとも４つの異なるコンポーネント系列のセットのうち１つのコンポーネント系列から形成され、少なくとも４つの異なるコンポーネント系列のセットはＧｏｌａｙ系列のペアのセットである。割り当てＣＥＦ系列は２つ以上のＣＥＦのセットからのものであり、ＣＥＦのセット内の各ＣＥＦはコンポーネント系列のセットのうち１つ以上の系列から形成され、ＣＥＦのセット内のＣＥＦはペアごとのゼロ相関ゾーン（ＺＣＺ）系列であり、それにより、ＣＥＦの各ペアはＺＣＺにわたり無視可能な相互相関出力を有し、各ＣＥＦはＺＣＺにわたりデルタ関数自己相関を有する。命令はさらに、当該デバイスに、割り当てＳＴＦ系列及び割り当てＣＥＦ系列を含む無線パケットを生成することをさせる。命令はさらに、当該デバイスに、送信リンクを通じて無線パケットを送信することをさせる。
【００２８】
命令は、当該デバイスに、上述された態様／実施形態のいずれかを実行させてもよい。
【図面の簡単な説明】
【００２９】
次に、例として、本出願の例示的な実施形態を示す添付の図面を参照する。
【図１】本開示の実施形態による一例示的な無線通信ネットワークの図である。
【図２】一例示的なパケットの図である。
【図３Ａ】Ｇａ１２８プリアンブルコンポーネント系列を示す。
【図３Ｂ】Ｇｂ１２８プリアンブルコンポーネント系列を示す。
【図４Ａ】８０１．１１ａｄ非制御ＳＴＦ系列の図である。
【図４Ｂ】１０２．１１ａｄ制御ＳＴＦ系列の図である。
【図４Ｃ】８０２．１１ａｄ  ＣＥＦ系列の図である。
【図５Ａ】図４Ａの非制御ＳＴＦ系列の、図３ＡのＧａ１２８プリアンブルコンポーネント系列との相関特性の図である。
【図５Ｂ】図４Ａの非制御ＳＴＦ系列の、図３ＢのＧｂ１２８プリアンブルコンポーネント系列との相関特性の図である。
【図５Ｃ】図４Ｂの制御ＳＴＦ系列の、図３ＡのＧａ１２８プリアンブルコンポーネント系列との相関特性の図である。
【図５Ｄ】図４Ｂの制御ＳＴＦ系列の、図３ＢのＧｂ１２８プリアンブルコンポーネント系列との相関特性の図である。
【図５Ｅ】図４ＣのＣＥＦ系列の自己相関特性の図である。
【図６Ａ】例示的な実施形態によるＧｃ１２８プリアンブルコンポーネント系列を示す。
【図６Ｂ】例示的な実施形態によるＧｄ１２８プリアンブルコンポーネント系列を示す。
【図７Ａ】Ｇｃ１２８プリアンブルコンポーネント系列の自己相関特性の図である。
【図７Ｂ】Ｇｄ１２８プリアンブルコンポーネント系列の自己相関特性の図である。
【図７Ｃ】Ｇａ１２８及びＧｂ１２８プリアンブルコンポーネント系列の相互相関特性の図である。
【図７Ｄ】Ｇｃ１２８及びＧｄ１２８プリアンブルコンポーネント系列の相互相関特性の図である。
【図７Ｅ】Ｇｃ１２８及びＧａ１２８プリアンブルコンポーネント系列の相互相関特性の図である。
【図７Ｆ】Ｇｃ１２８及びＧｂ１２８プリアンブルコンポーネント系列の相互相関特性の図である。
【図７Ｇ】Ｇｄ１２８及びＧｂ１２８プリアンブルコンポーネント系列の相互相関特性の図である。
【図７Ｈ】Ｇｄ１２８及びＧａ１２８プリアンブルコンポーネント系列の相互相関特性の図である。
【図８】一例示的な実施形態によるＥＤＭＧ  ＣＥＦ系列の図である。
【図９Ａ】図８のＣＥＦ系列の自己相関特性の図である。
【図９Ｂ】図４及び図８のＣＥＦ系列の相互相関特性の図である。
【図１０Ａ】一例示的な実施形態による非制御ＥＤＭＧ  ＳＴＦ系列の図である。
【図１０Ｂ】一例示的な実施形態による制御ＥＤＭＧ  ＳＴＦ系列の図である。
【図１１Ａ】図１０Ａの非制御ＥＤＭＧ  ＳＴＦ系列の、図６ＡのＧｃ１２８プリアンブルコンポーネント系列との相関特性の図である。
【図１１Ｂ】図１０Ａの非制御ＥＤＭＧ  ＳＴＦ系列の、図６ＢのＧｄ１２８プリアンブルコンポーネント系列との相関特性の図である。
【図１１Ｃ】図１０Ａの非制御ＥＤＭＧ  ＳＴＦ系列の、図３ＡのＧａ１２８プリアンブルコンポーネント系列との相関特性の図である。
【図１１Ｄ】図１０Ａの非制御ＥＤＭＧ  ＳＴＦ系列の、図３ＢのＧｂ１２８プリアンブルコンポーネント系列との相関特性の図である。
【図１２Ａ】図１０Ｂの制御ＥＤＭＧ  ＳＴＦ系列の、図６ＡのＧｃ１２８プリアンブルコンポーネント系列との相関特性の図である。
【図１２Ｂ】図１０Ｂの制御ＥＤＭＧ  ＳＴＦ系列の、図６ＢのＧｄ１２８プリアンブルコンポーネント系列との相関特性の図である。
【図１２Ｃ】図１０Ｂの制御ＥＤＭＧ  ＳＴＦ系列の、図３ＡのＧａ１２８プリアンブルコンポーネント系列との相関特性の図である。
【図１２Ｄ】図１０Ｂの制御ＥＤＭＧ  ＳＴＦ系列の、図３ＢのＧｂ１２８プリアンブルコンポーネント系列との相関特性の図である。
【図１３】例示的な実施形態によるｍｍＷａｖｅネットワークの第１の使用ケース例の図である。
【図１４】一例示的な実施形態による送信ノードで実行される方法のフロー図である。
【図１５】一例示的な実施形態による受信ノードで実行される方法のフロー図である。
【図１６】例示的な実施形態によるｍｍＷａｖｅネットワークの第２の使用ケース例の図である。
【図１７】例示的な実施形態によるｍｍＷａｖｅネットワークの第３の使用ケース例の図である。
【図１８】例示的な実施形態によるＥＤＭＧ  ＣＥＦ系列のセットの図である。
【図１９】例示的な実施形態によるＥＤＭＧ非制御パケットプリアンブル系列のセットの図である。
【図２０】例示的な実施形態によるＥＤＭＧ制御パケットプリアンブル系列のセットの図である。
【図２１】例示的な実施形態によるｍｍＷａｖｅネットワークの第４の使用ケース例の図である。
【図２２】例示的な実施形態によるＥＤＭＧ  ＣＥＦ系列のさらなるセットの図である。
【図２３】例示的な実施形態によるＥＤＭＧ非制御パケットプリアンブル系列のさらなるセットの図である。
【図２４】本開示の実施形態による例示的な処理システムのブロック図である。
【図２５】本開示の実施形態による例示的なトランシーバのブロック図である。
【図２６】本開示の実施形態による一例示的なパケットの図である。
【００３０】
同様のコンポーネントを示すために、異なる図において同様の参照番号が使用されている場合がある。
【発明を実施するための形態】
【００３１】
本開示の例示的な実施形態の作成及び使用が以下で詳細に論じられる。しかしながら、本明細書で開示される概念は広範な特定の文脈において具現化可能であり、本明細書で論じられる特定の実施形態は例示的なものに過ぎないことを理解されたい。
【００３２】
図１は、本明細書で説明されるシステム及び方法の例示的な実施形態が適用され得る一例示的な通信ネットワーク１００を示す。ネットワーク１００は、各々が複数のステーション（ＳＴＡ）１０６にサービスするそれぞれのカバレッジエリア有する複数のアクセスポイントＡＰ１  １０４（１）〜ＡＰｎ  １０４（ｎ）（本明細書ではＡＰｓ１０４又はＡＰ１０４と一般に呼ばれる）と、コアネットワーク１０８とを含む。図示の実施形態において、ＡＰ１０４は、ｍｍＷａｖｅ分散ネットワーク１０２を形成するように構成される。ｍｍＷａｖｅ分散ネットワーク１０２において、ＡＰ１０４のうち１つ以上が通信リンク１１４によりバックホールコアネットワーク１０８に接続される。図１の例では、通信リンク１１４は有線接続（例えば、ファイバ又は同軸ケーブル接続）であるが、いくつかの実施形態において、通信リンク１１４はワイヤレス無線周波数（radio  frequency、ＲＦ）リンクでもよい。ｍｍＷａｖｅ分散ネットワーク１０２のＡＰ１０４の少なくともいくつかは、図１の例では無線ＲＦリンクであるそれぞれの通信チャネル１１２を介して信号を交換する。さらに、各ＡＰ１０４は、ＡＰ１０４からＳＴＡ１０６へ、及びその逆にデータを搬送するようサービスするそれぞれのＲＦチャネル１１６を介して、ＡＰのカバレッジエリア内のＳＴＡ１０６との上りリンク及び／又は下りリンク接続を確立することを可能にされる。
【００３３】
少なくともいくつかの実施形態において、小さい地理的エリア内の共通周波数スペクトルの同時使用を容易にするために、ＡＰ１０４及びＳＴＡ１０６で送信及び／又は受信信号に対してビームフォーミングが行われる。
【００３４】
上りリンク／下りリンクＲＦチャネル１１６を通じて搬送されるデータは、ＡＰ１０４を介してバックホールコアネットワーク１０８を用いてリモートエンド（図示せず）へ／から通信されるデータを含んでもよい。図１に示すｍｍＷａｖｅ分散ネットワーク１０２において、ＡＰ１  １０４（１）は、コアネットワーク１０８への直接の有線通信リンク１１４を有し、残りのＡＰ１０４（２）〜１０４（ｎ）は、無線ＲＦチャネル１１２を介してＡＰ１  １０４（１）と直接的又は間接的に通信する。したがって、いくつかの例では、ＡＰ１  １０４（１）は、コアネットワーク１０８と他のＡＰ１０４のうち少なくともいくつかとの間のゲートウェイノードデータ上りリンク／下りリンク接続を提供する。
【００３５】
本明細書で用いられるとき、用語「アクセスポイント」（ＡＰ）は、進化型ノードＢ（evolved  NodeB、ｅＮＢ）、マクロセル、フェムトセル、Ｗｉ‐Ｆｉ  ＡＰ、又は他のワイヤレス対応デバイスなどの、ネットワーク内で無線アクセスを提供するように構成された任意のコンポーネント（又はコンポーネントの集合）を参照する。ｍｍＷａｖｅ分散ネットワーク１０２において、ＡＰ１０４は、１つ以上の無線通信プロトコル、例えば、ロングタームエボリューション（Long  Term  Evolution、ＬＴＥ）、ＬＴＥアドバンスト（LTE  Advanced、ＬＴＥ‐Ａ）、高速パケットアクセス（High  Speed  Packet  Access、ＨＳＰＡ）、Ｗｉ‐Ｆｉ８０２．１１ａ／ｂ／ｇ／ｎ／ａｃ／ａｄ等に従って無線アクセスを提供する分散ノード（distribution  node、ＤＮ）として機能する。少なくともいくつかの実施形態において、ＡＰ１０４は、地理的領域内に固定された静止デバイスである。
【００３６】
本明細書で用いられるとき、用語「ステーション」（ＳＴＡ）は、クライアントノード（client  node、ＣＮ）、ユーザ装置（user  equipment、ＵＥ）、移動局（mobile  station、ＳＴＡ）、及び他の無線対応電子デバイス（electronic  device、ＥＤ）などの、アクセスポイントとの無線接続を確立することができる任意のコンポーネント（又はコンポーネントの集合）を参照する。いくつかの実施形態において、ネットワーク１００は、リレー、低電力ノード等などの種々の他の無線デバイスを含んでもよい。例示的な実施形態において、コアネットワーク１０８は、ｍｍＷａｖｅ分散ネットワーク１０２に関する干渉管理及びトラフィック管理並びにエンジニアリングなどのネットワーク管理機能を実行するネットワーク（network、ＮＷ）コントローラ１１０を含む。
【００３７】
少なくともいくつかの例において、本明細書で開示される方法及びシステムは、同じ時間期間（duration）及び同じスペクトルを共有する通信チャネル１１２、１１６間及び／又は通信チャネル１１２間の同一チャネル干渉を低減するのに役立ち得る新しいトレーニング信号を導入する。少なくともいくつかの例において、これらのトレーニング信号が使用されて、ＡＰ１０４及び／又はＳＴＡ１０６がｍｍＷａｖｅネットワーク１０２内の空間共有に起因する潜在的な同一チャネル干渉を検出し、ターゲットリンク及び干渉リンクのチャネルを推定し、及び／又は同一チャネル干渉を緩和することを可能にする。
【００３８】
例示的な実施形態において、通信チャネル１１２及び１１６上での使用のために、ＥＤＭＧ  ＷＬＡＮ、例えば８０２．１１ａｙに対してパケットフォーマットが提案される。例示的な実施形態において、提案されるフォーマットはＩＥＥＥ８０２．１１ａｄ仕様に基づいており、下位互換性がある。説明の目的で、８０２．１１ａｄで規定されたパケットプリアンブル系列が、図２〜図５Ｅを参照して以下の段落で説明される。
【００３９】
当該分野で知られているように、物理層コンバージェンスプロトコル（Physical  Layer  Convergence  Protocol、ＰＬＣＰ）プロトコルデータユニット（Protocol  Data  Unit）（ＰＰＤＵ）は、ネットワークの物理（physical、ＰＨＹ）層、例えば、オープンシステム相互接続（Open  Systems  Interconnection、ＯＳＩ）モデルのレイヤ１を通じて送信されるデータの単位である。ＰＰＤＵは、アドレス情報、プロトコル制御情報、及び／又はユーザデータなどの情報を含む構造化されたデータユニットである。ＰＰＤＵのパケット構造は、ショートトレーニングフィールド（ＳＴＦ）、チャネル推定フィールド（ＣＥＦ）、ヘッダフィールド、及びデータペイロードを典型的に含む。いくつかのＰＰＤＵは、レガシーＤＭＧヘッダ（Ｌ‐Ｈｅａｄｅｒ）フィールド及びＥＤＭＧヘッダ（ＥＤＭＧ‐Ｈｅａｄｅｒ）フィールドをさらに含み得る。
【００４０】
図２は、ＰＰＤＵであり得るパケット２００の図である。パケット２００は無線ＰＨＹパケットでもよく、制御又は非制御パケットでもよい。制御ＰＨＹパケットはそのペイロード内で制御情報を典型的に搬送し、非制御ＰＨＹパケットはそのペイロード内でデータを典型的に搬送する。非制御ＰＨＹパケットは、シングルキャリア（single  carrier、ＳＣ）波形及び直交周波数分割多重（orthogonal  frequency-division  multiplexed、ＯＦＤＭ）波形などの種々の波形を使用して送信され得る。受信機（例えば、ＡＰ１０４又はＳＴＡ１０６）は、パケット２００を受信すると、パケット２００が非制御ＰＨＹパケットか又は制御ＰＨＹパケットかを決定する必要があり得る。
【００４１】
パケット２００は、ＳＴＦ２０２、ＣＥＦ２０４、ヘッダ２０６、ペイロード２０８、及びトレーニングフィールド２１０を含む。パケット２００は他のフィールドを含んでもよいことを理解されたい。ＳＴＦ２０２及びＣＥＦ２０４は、トレーニング信号を送出するために使用され、一般に組み合わせでパケットプリアンブル２１２として参照される。いくつかの実施形態において、ＳＴＦ２０２は、パケット２００が制御ＰＨＹパケットか又は非制御ＰＨＹパケットかを区別するため、及び、以下でより詳細に説明されるように、干渉チャネルを介して受信される干渉パケットを識別するために使用される。
【００４２】
ＣＥＦ２０４は、チャネル推定に使用される。
【００４３】
ヘッダ２０６は、受信機がペイロード２０８をデコードすることを可能にするインジケータ又はパラメータを含んでもよい。いくつかの実施形態において、ヘッダ２０６は、パケットが８０２．１１ａｄ  ＰＨＹパケットか、又は８０２．１１ａｙ  ＰＨＹパケットかを決定するために使用されてもよい。
【００４４】
ペイロード２０８は、パケット２００により搬送される情報（例えば、データ）を含む。トレーニングフィールド２１０は、ビーム精緻化のためにパケット２００に付加される自動利得制御（automatic  gain  control、ＡＧＣ）及びトレーニング（training、ＴＲＮ）サブフィールドなどの他のフィールドを含んでもよい。
【００４５】
図３Ａ及び図３Ｂは、ＰＨＹパケットのプリアンブルコンポーネント系列（preamble  component  sequences）を示す。プリアンブルコンポーネント系列は、１２８個のバイナリ値又はビットの長さを有する二極性ベースのＧｏｌａｙ相補系列である。図３Ａ〜図３Ｂに示すプリアンブルコンポーネント系列は、それぞれ、ＩＥＥＥ８０２．１１ａｄによりＧａ１２８及びＧｂ１２８として参照されている。系列Ｇａ１２８及びＧｂ１２８は相補的なペアを形成するＧｏｌａｙ系列であり、下付き文字は１２８の系列長を示す。プリアンブルコンポーネント系列Ｇａ１２８及びＧｂ１２８は、２位相シフトキーイングされた（binary  phase-shift  keyed、ＢＰＳＫ）シンボルとして送信されてもよく、それにより、値は単位円上の０度及び１８０度の点により表され、すなわち、各シンボルは１又は−１のいずれかの変調値を有する。プリアンブルコンポーネント系列Ｇａ１２８及びＧｂ１２８は、パケット２００のＳＴＦ２０２及びＣＥＦ２０４などの、ＰＨＹパケットのＳＴＦ及びＣＥＦにおいて送信されてもよい。
【００４６】
図４Ａ及び図４Ｂは、それぞれ、８０２．１１ａｄパケットプリアンブル２１２に含まれる非制御ＳＴＦ系列４００及び制御ＳＴＦ系列４５０の図である。非制御ＳＴＦ系列４００及び制御ＳＴＦ系列４５０は、各々、反復系列４０２、４５２、及び終端（termination）系列４０４、４５４を含む。制御ＳＴＦ系列４５０は、終端系列４５４の後にサイクリックプレフィックス系列４５６をさらに含む。
【００４７】
反復系列４０２、４５２は、プリアンブルコンポーネント系列Ｇａ１２８及びＧｂ１２８の複数の反復である。例示的な実施形態において、反復系列４０２、４５２における系列のタイプ及び数量は、非制御ＳＴＦ系列４００と制御ＳＴＦ系列４５０との間で異なってもよく、それにより、受信機は、非制御８０２．１１ａｄ  ＰＨＹパケットを制御８０２．１１ａｄ  ＰＨＹパケットから区別することができる。例えば、反復系列４０２は、プリアンブルコンポーネント系列Ｇａ１２８の１６個の反復でもよく、反復系列４５２は、プリアンブルコンポーネント系列Ｇｂ１２８の４８個の反復でもよい。
【００４８】
終端系列４０４、４５４は、それぞれ、非制御ＳＴＦ系列４００及び制御ＳＴＦ系列４５０の反復部分の終わりに生じ、したがって、非制御ＳＴＦ系列４００及び制御ＳＴＦ系列４５０の終わりを示す。上記で論じられたように、ＳＴＦ系列は、異なる値を含み、非制御又は制御ＰＨＹパケットに対して異なる長さを有してもよい。そのようなものとして、終端系列４０４、４５４は、ＳＴＦ系列の終わりを示す所定の系列である。終端系列４０４、４５４は、反復系列４０２、４５２で使用されるプリアンブルコンポーネント系列の負のインスタンスであり、例えば、終端系列４０４、４５４内の各シンボルが−１を乗じられている場合である。例えば、反復系列４５２がプリアンブルコンポーネント系列Ｇｂ１２８のいくつかの反復であるとき、終端系列４５４は否定のプリアンブルコンポーネント系列−Ｇｂ１２８である。したがって、プリアンブルコンポーネント系列−Ｇａ１２８及び−Ｇｂ１２８が、それぞれ、終端系列４０４、４５４に対して選ばれてもよい。
【００４９】
プレフィックス系列４５６は、制御ＳＴＦ系列４５０において終端系列４５４の後に生じる。プレフィックス系列４５６はプリアンブルコンポーネント系列−Ｇａ１２８であり、ＣＥＦ２０４のサイクリックプレフィックスとして使用される。非制御ＳＴＦ系列４００の終端系列４０４はＣＥＦ２０４のプレフィックス系列としても機能し、なぜならば、終端系列４０４もまたプリアンブルコンポーネント系列−Ｇａ１２８であるためである。
【００５０】
図４Ｃは、８０２．１１ａｄパケットプリアンブルのＣＥＦ２０４に含まれ得るＣＥＦ系列４６０の図である。ＣＥＦ系列４６０は、合計８つのＧｏｌａｙ系列を集合的に含むＧｕ５１２、Ｇｖ５１２とラベル付けされた２つの連結された系列と、終端系列Ｇｖ１２８とを含む。第１の連結系列Ｇｕ５１２は、４つの系列、すなわち−Ｇｂ１２８、−Ｇａ１２８、Ｇｂ１２８、及び−Ｇａ１２８の連結から形成された５１２個のシンボルを含む。第２の系列Ｇｖ５１２は、４つの系列、すなわち−Ｇｂ１２８、Ｇａ１２８、−Ｇｂ１２８、及び−Ｇａ１２８の連結から形成された５１２個のシンボルを含む。したがって、中間の２つのＧｏｌａｙ系列の極性は、第１の連結系列Ｇｕ５１２と第２の連結系列Ｇｖ５１２との間で交換されている。終端系列Ｇｖ１２８は１２８個のシンボルを含み、系列−Ｇｂ１２８のコピーである。
【００５１】
図５Ａ及び図５Ｂは、それぞれ、非制御ＳＴＦ系列４００及び制御ＳＴＦ系列４５０の、プリアンブルコンポーネント系列Ｇａ１２８及びＧｂ１２８との相関特性の図である。受信機は、相互相関（cross-correlation）を実行して、受信した系列が既知の系列とマッチするかどうかを決定することができる。例えば、受信機は、受信ＳＴＦをプリアンブルコンポーネント系列Ｇａ１２８及びＧｂ１２８と相互相関させ（cross-correlate）て、いずれのプリアンブルコンポーネント系列がＳＴＦ内で搬送されているかを決定してもよい。
【００５２】
図５Ａに示すように、非制御ＳＴＦ系列４００がプリアンブルコンポーネント系列Ｇａ１２８と相関しているとき、１６個の正のインパルス及び１つの負のインパルスが生成される。１６個の正のインパルスは、系列４０２におけるプリアンブルコンポーネント系列Ｇａ１２８の１６個の正の反復との相関ピークに対応し、負のインパルスは、終端系列４０６におけるプリアンブルコンポーネント系列Ｇａ１２８の負のインスタンスとの相関ピークに対応する。生成されたインパルスは、単位最大振幅（magnitude）、例えば、１又は−１の最大振幅を有するように正規化される。図５Ｂに示すように、非制御ＳＴＦ系列４００がプリアンブルコンポーネント系列Ｇｂ１２８と相関しているとき、有意な相関ピークは生成されない。いくらかのノイズが生成され得るが、ノイズの振幅は相関ピークとして登録するほど十分大きくない可能性がある。図５Ａ及び図５Ｂに示すように、ノイズの振幅は低いが、相関ピークが生成されないときでさえ、かなりの量のノイズが依然として存在する。したがって、受信したパケット内のＳＴＦをプリアンブルコンポーネント系列Ｇａ１２８及びＧｂ１２８の双方と相互相関させることにより、受信機は、パケットが非制御８０２．１１ａｄパケットであるか否かを決定可能であり得る。
【００５３】
図５Ｃ及び図５Ｄは、それぞれ、制御ＳＴＦ系列４５０の、プリアンブルコンポーネント系列Ｇａ１２８及びＧｂ１２８との相関特性の図である。図５Ｃに示すように、制御ＳＴＦ系列４５０がプリアンブルコンポーネント系列Ｇａ１２８と相関しているとき、１つの負の相互相関ピークが生成される。これは、上で示されたように、制御ＳＴＦ系列４５０がプリアンブルコンポーネント系列Ｇａ１２８の１つの負のインスタンスを含むからである。図５Ｄに示すように、制御ＳＴＦ系列４５０がプリアンブルコンポーネント系列Ｇｂ１２８と相関しているとき、４８個の正のインパルス及び１つの負のインパルスが生成される。これらのインパルスは、系列４５２におけるプリアンブルコンポーネント系列Ｇｂ１２８の４８個の正の反復と、プレフィックス系列４５６におけるプリアンブルコンポーネント系列Ｇｂ１２８の１つの負のインスタンスに対応する。したがって、受信したパケット内のＳＴＦをプリアンブルコンポーネント系列Ｇａ１２８及びＧｂ１２８の双方と相互相関させることにより、受信機は、パケットが８０２．１１ａｄ制御パケットであるか否かを決定可能であり得る。
【００５４】
上述のように、ＣＥＦ２０４はチャネル推定に使用される。図５Ｅは、ＣＥＦ２０４の周期的自己相関の図である。ＣＥＦ２０４の周期的自己相関は、［−１２８，１２８］内のシフトに対するデルタ（delta）関数であり、これは、１２８＊０．５７ｎｓ＝７２．７ｎｓ（８０２．１１ａｄ  ＳＣチップ時間が０．５７ｎｓの場合）までの遅延スプレッドを有するチャネルを推定するために使用できる。チャネル推定の結果は、ビームフォーミング動作及び他のノイズ低減動作を改善し、受信信号に対する検出を実行するために使用されてもよい。
【００５５】
例示的な実施形態において、図６Ａ及び以下の文脈で次に説明されるように、上述の８０２．１１ａｄ系列に追加で、パケットプリアンブルにおける使用のために、さらなるＳＴＦ及びＣＥＦ系列が導入される。これらのさらなるパケットプリアンブル系列は、図１のｍｍＷａｖｅネットワーク１０２などのネットワークにおけるノード間及びノード内同一チャネル干渉を緩和するために使用できる。これに関し、パケット２００のＳＴＦ２０２及びＣＥＦ２０４フィールドにおける使用のために、２つのさらなるＧｏｌａｙ系列が導入される。当該分野で知られているように、２つの系列「Ａ」及び「Ｂ」が相補ペアであるとき、他の相補ペアは、いずれかの系列「Ａ」又は「Ｂ」の系列シンボル順序を反転することにより生成でき、このことは、系列「Ａ」及び「Ｂ」の双方を反転することで、さらなる相補系列のペアを生じることが可能なことを意味する。したがって、例示的な実施形態において、第３のＧｏｌａｙ系列Ｇｃ１２８は、Ｇｏｌａｙ系列Ｇａ１２８からのシンボルを反転することにより得られ、第４のＧｏｌａｙ系列Ｇｄ１２８は、Ｇｏｌａｙ系列Ｇｂ１２８からのシンボルを反転することにより得られる。図６Ａ及び図６Ｂは、それぞれ、各々が１２８シンボルの長さを有する二極性ベースのＧｏｌａｙ相補系列ペアＧｃ１２８及びＧｄ１２８を示す。系列Ｇｃ１２８及びＧｄ１２８は、２位相シフトキーイング（ＢＰＳＫ）されてもよく、それにより、これらは単位円上の０度及び１８０度に配置され、例えば、各シンボルは１又は−１のいずれかの変調値を有する。
【００５６】
系列Ｇａ１２８、Ｇｂ１２８、Ｇｃ１２８、及びＧｄ１２８は、系列の各々が互いに相補的であるコンポーネント系列セットを提供する。これに関し、図７ＡはＧｃ１２８の自己相関の図であり、図７ＢはＧｄ１２８の自己相関の図である。図７ＣはＧａ１２８とＧｂ１２８の相互相関の図であり、図７ＤはＧｃ１２８とＧｄ１２８の相互相関の図である。図７ＥはＧｃ１２８とＧａ１２８の相互相関の図であり、図７ＦはＧｃ１２８とＧｂ１２８の相互相関の図である。図７ＧはＧｄ１２８とＧｂ１２８の相互相関の図であり、図７ＨはＧｄ１２８とＧａ１２８の相互相関の図である。図７Ａと図７Ｂの自己相関には、０シフトでピークを有するデルタ関数が存在し、図７Ｃ〜図７Ｈの各々の相互相関には、ゼロ相関ゾーン（ＺＣＺ）が存在する。
【００５７】
本開示において、パケットプリアンブル系列のコンポーネント系列としての使用のために、４つの特定の相補Ｇｏｌａｙ系列Ｇａ１２８、Ｇｂ１２８、Ｇｃ１２８、Ｇｄ１２８のセットが提示されるが、他の例示的な実施形態において、セットに含まれる相補系列のすべてが、互いに相互相関しているときＺＣＺを、及び自己相関しているときにデルタ関数ピークを提供する限り、さらなる系列が追加されてもよく、相補系列のうち１つ以上が異なる相補系列で置き換えられてもよい。
【００５８】
上述のように、さらなる系列Ｇｃ１２８及びＧｄ１２８は、同一チャネル干渉を低減するように、パケット２００のＳＴＦ２０２及びＣＥＦ２０４フィールドにおける使用のため導入される。本説明において、「ターゲットチャネル」は、受信機に対し意図された通信チャネルを参照するために用いられ、「干渉チャネル」は、受信機に対し意図されない通信チャネルを参照するために用いられる。さらに、受信機デバイスの観点から、「ターゲットデータパケット」は、ターゲットチャネルを介してその受信機のために意図されたデータパケットを参照し、「干渉データパケット」は、その特定の受信機のために意図されないデータパケットを参照する。以下で説明するように、いくつかのノード（例えば、いくつかのＡＰ１０４及びＳＴＡ１０６）は、複数入力複数出力（ＭＩＭＯ）可能でもよく、その場合、単一のノードが、各受信機機能がそれぞれの指向性向きを有する複数の受信機機能を実現することができる。
【００５９】
新しいＳＴＦ系列は、受信機が同一チャネル干渉を検出することを可能にするように提供され、新しいＣＥＦ系列は、受信機が次いで干渉チャネル及びターゲットチャネルを推定することを可能にし、それにより、受信機が同一チャネル干渉を緩和するアクションをとることを可能にする。これに関し、図８は、パケット２００のＣＥＦフィールド２０４における使用のための新しいＣＥＦ系列、すなわちＣＥＦ‐１  ８６０の図である。図示の実施形態において、ＣＥＦ‐１系列８６０は、ＣＥＦ系列４６０を改変して、Ｇｂ１２８の各発生を−Ｇｃ１２８で置き換え、Ｇａ１２８の各発生をＧｄ１２８で置き換えることにより得られる。図８に示すように、ＣＥＦ‐１系列８６０は、合計８つのＧｏｌａｙ系列を集合的に含むＧｕ‐１５１２、Ｇｖ‐１５１２とラベル付けされた２つの連結された系列と、サイクリックポストフィックス系列Ｇｖ‐１１２８を含む。第１の連結系列Ｇｕ‐１５１２は、４つの系列、すなわちＧｃ１２８、−Ｇｄ１２８、−Ｇｃ１２８、及び−Ｇｄ１２８の連結から形成された５１２個のシンボルを含む。第２の系列Ｇｖ‐１５１２は、４つの系列、すなわちＧｃ１２８、Ｇｄ１２８、Ｇｃ１２８、及び−Ｇｄ１２８の連結から形成された５１２個のシンボルを含む。したがって、中間の２つのＧｏｌａｙ系列の極性は、第１の連結系列Ｇｕ‐１５１２と第２の連結系列Ｇｖ‐１５１２との間で交換されている。サイクリックポストフィックス系列Ｇｖ‐１１２８は、１２８個のシンボルを含み、系列Ｇｃ１２８のコピーである。
【００６０】
図９Ａは、ＣＥＦ‐１系列８６０の自己相関の図であり、０においてスパイクを有する、［−１２８，１２８］内のシフトについてのデルタ関数を示している。図９Ｂは、ＣＥＦ系列４６０及びＣＥＦ‐１系列８６０の相互相関の図であり、［−１２８，１２８］内のシフトについてのゼロ相関ゾーン（ＺＣＺ）を示している。ＣＥＦ系列４６０及びＣＥＦ‐１系列８６０は、［−１２８，１２８］内のシフトについて、互いに直交している。したがって、ＣＥＦ‐１系列８６０は、ＣＥＦ系列４６０との間でＺＣＺ特性を有し、２つの系列のＺＣＺセットを生成するように設計される。
【００６１】
ＣＥＦ‐１系列８６０は、新しいＳＴＦ系列と組み合わせられて、８０２．１１ａｙ準拠パケットのパケットプリアンブル２１２における使用のための新しいパケットプリアンブル系列を提供する。図１０Ａは、新しい非制御ＳＴＦ系列１０００を含む新しい非制御パケットプリアンブル系列１００１の図である。図１０Ｂは、新しい制御ＳＴＦ系列１０５０を含む新しい制御パケットプリアンブル系列１０５１の図である。非制御ＳＴＦ系列１０００及び制御ＳＴＦ系列１０５０は各々、反復系列１００２、１０５２、及び終端系列１００４、１０５４を含む。制御ＳＴＦ系列１０５０は、終端系列１０５４の後にポストフィックス系列１０５６をさらに含む。図１０Ａ及び図１０Ｂに示される新しいプリアンブル系列１００１及び１０５１の双方が、ＣＥＦ２０４内に新しいＣＥＦ‐１系列８６０を含む。
【００６２】
反復系列１００２、１０５２は、それぞれ、プリアンブルコンポーネント系列Ｇｄ１２８及びＧｃ１２８の複数の反復である。例示的な実施形態において、反復系列１００２、１０５２における系列のタイプ及び数量は、非制御ＳＴＦ系列１０００と制御ＳＴＦ系列１０５０との間で異なってもよく、それにより、受信機は、非制御８０２．１１ａｙ  ＰＨＹパケットを制御８０２．１１ａｙ  ＰＨＹパケットから区別することができる。例えば、反復系列１００２は、プリアンブルコンポーネント系列Ｇｄ１２８の１６個の反復でもよく、反復系列１０５２は、プリアンブルコンポーネント系列Ｇｃ１２８の４８個の反復でもよい。
【００６３】
終端系列１００４、１０５４は、それぞれ、非制御ＳＴＦ系列１０００及び制御ＳＴＦ系列１０５０の反復部分の終わりに生じ、したがって、非制御ＳＴＦ系列１０００及び制御ＳＴＦ系列１０５０の終わりを示す。上記で論じられたように、ＳＴＦは、異なる値を含み、非制御又は制御ＰＨＹパケットに対して異なる長さを有してもよい。そのようなものとして、終端系列１００４、１０５４は、ＳＴＦ系列の終わりを示す所定の系列である。終端系列１００４、１０５４は、反復系列１００２、１０５２で使用されるプリアンブルコンポーネント系列の負のインスタンスであり、例えば、終端系列１００４、１０５４内の各シンボルが−１を乗じられている場合である。プレフィックス系列１０５６（−Ｇｄ１２８）は、制御ＳＴＦ系列１０５０内の終端系列１０５４の後に生じ、（ＣＥＦ‐１系列８６０を投入されている）ＣＥＦ２０４のサイクリックプレフィックスとして使用される。非制御ＳＴＦ系列１０００の終端系列１００４はＣＥＦ２０４のプレフィックス系列としても機能し、なぜならば、終端系列１００４もまたプリアンブルコンポーネント系列−Ｇｄ１２８であるためである。
【００６４】
図１１Ａ、図１１Ｂ、図１１Ｃ、及び図１１Ｄは、それぞれ、非制御ＳＴＦ系列１０００の、プリアンブルコンポーネント系列Ｇｃ１２８、Ｇｄ１２８、Ｇａ１２８、及びＧｂ１２８との相関特性の図である。受信機は、受信した系列が既知の系列とマッチするかどうかを決定するために、相互相関を実行することができる。例えば、受信機は、受信ＳＴＦ系列１０００をプリアンブルコンポーネント系列Ｇｃ１２８、Ｇｄ１２８、Ｇａ１２８、及びＧｂ１２８と相互相関させて、いずれのプリアンブルコンポーネント系列がパケット内で搬送されているか、及びパケットが非制御パケットであるかを決定してもよい。
【００６５】
図１１Ｂに示すように、非制御ＳＴＦ系列１０００がプリアンブルコンポーネント系列Ｇｄ１２８と相関しているとき、１６個の正のインパルス及び１つの負のインパルスが生成される。１６個の正のインパルスは、系列１００２におけるプリアンブルコンポーネント系列Ｇｄ１２８の１６個の正の反復との相関ピークに対応し、負のインパルスは、終端系列１００４におけるプリアンブルコンポーネント系列Ｇｄ１２８の負のインスタンスとの相関ピークに対応する。生成されたインパルスは、単位最大振幅、すなわち、１又は−１の最大振幅を有するように正規化される。図１１Ａ、図１１Ｃ、及び図１１Ｄに示すように、非制御ＳＴＦ系列１０００がプリアンブルコンポーネント系列Ｇｃ１２８、Ｇａ１２８、又はＧｂ１２８のいずれかと相関しているとき、有意な相関ピークは生成されない。いくらかのノイズが生成され得るが、ノイズの振幅は相関ピークとして登録するほど十分大きくない可能性がある。図１１Ａ〜図１１Ｄに示すように、ノイズの振幅は低いが、相関ピークが生成されないときでさえ、かなりの量のノイズが依然として存在する。したがって、受信したパケット内のＳＴＦをプリアンブルコンポーネント系列Ｇｃ１２８、Ｇｄ１２８、Ｇａ１２８及びＧｂ１２８の全てと相互相関させ、受信機は、いずれのピークが相関ピークに対応し、いずれのピークがノイズピークに対応するかを決定することができる。この情報を使用し、受信機は、受信したパケットが受信機のために意図されているか、パケットが非制御パケットか又は制御パケットか、及び４つのＳＴＦ系列のうちいずれをパケットが含むかを決定することができる。詳細には、図示された例では、図１１Ａ、図１１Ｃ、及び図１１Ｄにおける任意のピークの振幅は、図１１Ｂにおける相関ピークよりも検出可能に小さく、図１１Ｂにおける相関ピークは、Ｇｂ１２８及びＧａ１２８をそれぞれ有する８０２．１１ａｄ制御ＳＴＦ及び非制御ＳＴＦのいずれかに対するものと同様である。
【００６６】
同様に、図１２Ａ、図１２Ｂ、図１２Ｃ、及び図１２Ｄは、それぞれ、制御ＳＴＦ系列１０５０の、プリアンブルコンポーネント系列Ｇｃ１２８、Ｇｄ１２８、Ｇａ１２８、及びＧｂ１２８との相関特性の図である。図１２Ｂに示すように、制御ＳＴＦ系列１０５０がプリアンブルコンポーネント系列Ｇｄ１２８と相関しているとき、１つの負の相互相関ピークが生成される。これは、上で示したように、制御ＳＴＦ系列１０５０がプリアンブルコンポーネント系列Ｇｄ１２８の１つの負のインスタンスを含むためである。図１２Ａに示すように、制御ＳＴＦ系列１０５０がプリアンブルコンポーネント系列Ｇｃ１２８と相関しているとき、４８個の正のインパルス及び１つの負のインパルスが生成される。これらのインパルスは、系列１０５２におけるプリアンブルコンポーネント系列Ｇｃ１２８の４８個の正の反復と、プレフィックス系列１０５６におけるプリアンブルコンポーネント系列Ｇｃ１２８の１つの負のインスタンスに対応する。図１２Ｃ及び図１２Ｄに示されるように、制御ＳＴＦがＧａ１２８又はＧｂ１２８のいずれかと相関しているとき、検出可能な相関ピークは存在しない。図１２Ａにおける相関ピークは、Ｇｂ１２８及びＧａ１２８をそれぞれ有する８０２．１１ａｄ制御ＳＴＦ及び非制御ＳＴＦのいずれかに対するものと同様である。
【００６７】
したがって、例示的な実施形態において、４つの相補的なＧｏｌａｙ系列Ｇｃ１２８、Ｇｄ１２８、Ｇａ１２８、及びＧｂ１２８のセットが反復コンポーネント系列として使用されて、ｍｍＷａｖｅネットワーク１０内で送信されるパケット２００のパケットプリアンブル２１２での使用のための異なる系列のセットを生成する。詳細には、利用可能なパケットプリアンブル系列は、２つの異なる非制御ＳＴＦ系列（ＳＴＦ系列４００及びＳＴＦ系列１０００）が非制御パケットのＳＴＦ２０２での使用に利用可能であり、２つの異なるＳＴＦ系列（ＳＴＦ系列４５０及びＳＴＦ系列１０５０）が制御パケットのＳＴＦ２０２での使用に利用可能であり、２つの異なるＣＥＦ系列（ＣＥＦ系列４６０及びＣＥＦ‐１系列８６０）が制御又は非制御パケットのＣＥＦ２０４での使用に利用可能であることを含む。例示的な実施形態において、８０２．１１ａｄ  ＣＥＦ系列４６０は、８０２．１１ａｄ  ＳＴＦ系列４００又は４５０と常に組み合わせられ、目下導入されているＣＥＦ‐１系列８６０は、目下導入されているＳＴＦ系列１０００又は１０５０と常に組み合わせられる。これらの組み合わせは、非制御パケットに対する２つの選択肢と制御パケットに対する２つの選択肢を含む、パケットプリアンブル２１２に対する合計４つの系列選択肢を提供する。
【００６８】
ＳＴＦの場合、４つの可能なＳＴＦ系列の各々は、４つの相補Ｇｏｌａｙ系列Ｇｃ１２８、Ｇｄ１２８、Ｇａ１２８及びＧｂ１２８のうち対応する１つの、反復の系列を含む。これに関し、受信機において、ＳＴＦ系列の各々は、それが少なくともの閾数の反復のものを含むＧｏｌａｙ系列に関してのみ、所定の閾数の相互相関ピークを生成する。この関係は、以下の表１に示すように、４つの利用可能なパケットプリアンブル系列選択肢の各々を識別するルックアップテーブルとして表すことができる（８０２．１１ａｄは、８０２．１１ａｄからのＳＴＦ及びＣＥＦを参照するために使用され、ＥＤＭＧは、本文献で導入されるＳＴＦ及びＣＥＦを参照するために使用される）。
【表５】
2021501520.tif 000007
【００６９】
表１は、識別されたＳＴＦ系列を有するパケットプリアンブル系列に含まれるＣＥＦ系列をさらに識別する。例示的な実施形態において、同一チャネル干渉を低減するのを助けるために、ｍｍＷａｖｅネットワーク１０２内のＡＰ１０４間にパケットプリアンブル系列割り当てが割り振られる。いくつかの例において、割り当てはネットワークコントローラ１１０により実行される。いくつかの例示的な実施形態において、パケットプリアンブル系列は、ｍｍＷａｖｅネットワーク１０２のＡＰ１０４がそのそれぞれの動作場所及び構成に位置づけられたとき、予測された干渉条件に基づいて割り当てられる。いくつかの例示的な実施形態において、ネットワークコントローラ１１０は、測定された同一チャネル干渉条件に関する情報をＡＰ１０４から受信し、次いで、ＳＴＦ及びＣＥＦ系列が、観察された同一チャネル干渉条件に基づいて割り当てられる。
【００７０】
上で表１に示されるように、受信したパケット内のＳＴＦ系列は、コンポーネント系列Ｇａ１２８、Ｇｂ１２８、Ｇｃ１２８、Ｇｄ１２８、及びカウントされた相関結果内の正のピーク数と相互相関可能である。カウント結果に基づいて、受信機は、受信したパケットがターゲットパケットか又は干渉パケットかを決定することができる。検出されたターゲットパケットの場合、受信機は、パケット内のＣＥＦに基づいてターゲットチャネルを推定することができ、検出された干渉パケットの場合、受信機は、パケット内のＣＥＦに基づいて干渉チャネルを推定することができる。次いで、チャネル推定情報が受信機により使用されて、同一チャネル干渉を緩和するように受信機性能を改善することができる。例えば、受信機は、チャネル推定に基づいて干渉除去を行ってもよい。
【００７１】
図１３は、ネットワーク１００及びｍｍＷａｖｅネットワーク１０２の例示的な使用ケース（ケース１）を示しており、プリアンブルパケット系列の割り当てが使用されて、送信データパケット間の同一チャネル干渉を緩和することができる。図１３の例において、ｍｍＷａｖｅネットワーク１０２は、マルチホップネットワークであり、ＡＰ１０４は、ノード間通信チャネル１１２がすべて同じ周波数スペクトルを使用して動作する状態で各々が同時に送信及び受信することができる、デイジーチェーン化された分散ノード（ＤＮ）のセットとして機能するように構成される。図１３の例では、通信リンク１１２上の矢印により示されるように、ＡＰ１０４は各々、単一の上流分散ノードのみからターゲットチャネル上でデータを受信するように意図されている。
【００７２】
ビームフォーミング技術が、送信及び受信ノードのうち一方又は双方に適用されて、同じスペクトルの同時使用を容易にしてもよい。図１３において、通信チャネル１１２はターゲットチャネルを表し、破線１３０２、１３０４は潜在的な干渉チャネルを表す。詳細には、破線１３０２は、あり得るノード間干渉チャネルを示し、ＡＰ３  １０４（３）が、ＡＰ１  １０４（１）からの干渉データパケットと共に、近隣ＡＰ２  １０４（２）からのターゲットデータパケットを受信し得ることを示す。破線１３０４は、あり得るノード内干渉チャネルを示し、ＡＰ４  １０４（４）が、近隣ＡＰ３  １０４（３）からターゲットデータパケットを受信し得るが、ＡＰ４（４）自体が元々別のＡＰに送信した干渉データパケットを潜在的に受信する可能性もあることを示す。
【００７３】
一例示的な実施形態において、潜在的なノード間及びノード内干渉は、各ＡＰ１０４がそのターゲット受信チャネルについて、その隣接する近隣とは異なるプリアンブルパケット系列を受信するように、近隣ＡＰ１０４に異なるプリアンブルパケット系列を割り当てることにより緩和される。例として、図１３の場合、８０２．１１ａｄ  ＳＴＦ及びＣＥＦ系列（ＳＴＦ系列４００又は４５０、及びＣＥＦ系列４６０）は、非近隣ＡＰのＡＰ１  １０４（１）、ＡＰ３  １０４（３）などにより送信されるパケットでの使用のために割り当てられ、ＥＤＭＧ  ＳＴＦ及びＣＥＦ系列（ＳＴＦ系列１０００又は１０５０、及びＣＥＦ‐１系列８６０）は、非近隣ＡＰのＡＰ２  １０４（２）、ＡＰ４  １０４（４）などにより送信されるパケットでの使用のために割り当てられる。対応して、非近隣ＡＰのＡＰ２  １０４（２）及びＡＰ４  １０４（４）は、ターゲット受信機チャネルにおいて８０２．１１ａｄ  ＳＴＦ及びＣＥＦ系列（ＳＴＦ系列４００又は４５０、及びＣＥＦ系列４６０）を受信することを予期し、非近隣ＡＰのＡＰ１  １０４（１）、ＡＰ４  １０３（３）は、ターゲット受信機チャネルにおいてＥＤＭＧ  ＳＴＦ及びＣＥＦ系列（ＳＴＦ系列１０００又は１０５０、及びＣＥＦ‐１系列８６０）を受信することを予期する。
【００７４】
一例示的な実施形態において、チャネルプリアンブルパケット系列割り当ては、ｍｍＷａｖｅネットワーク１０２を介してＮＷコントローラ１１０によりＡＰ１０４の各々に通信される。以下の表２は、図１３のネットワークに関して行われたパケットプリアンブル割り当てを表す。
【表６】
2021501520.tif 000008
【００７５】
ＡＰ３  １０４（３）の場合、それがその意図されたターゲットチャネル１１２（ＡＰ２からＡＰ３へ）を介して受信するパケットは、ＥＤＭＧ  ＳＴＦ及びＣＥＦ系列を有し、干渉チャネル１３０２を介して受信されるパケット（実際にはＡＰ２  １０４（２）のターゲットパケットである）は、８０２．１１ａｄ  ＳＴＦ及びＣＥＦ系列を有する。受信したＳＴＦをＧｏｌａｙ系列Ｇｃ１２８、Ｇｄ１２８、Ｇａ１２８、及びＧｂ１２８の各々と相関させ、ピーク数をカウントすることにより、ＡＰ３  １０４（３）は、パケットがターゲットパケットか又は干渉パケットか（及び、さらに、それが制御パケットか又は非制御パケットか）を決定することができる。次いで、ＡＰ３  １０４（３）は、場合により、パケットのＣＥＦフィールドに含まれるデータに対して自己相関を実行して、ターゲットチャネル及び／又は干渉チャネルを推定することができる。
【００７６】
ＡＰ４  １０４（４）の場合、それがそのターゲット受信チャネル１１２（ＡＰ３からＡＰ４へ）を介して受信するパケットは、８０２．１１ａｄ  ＳＴＦ及びＣＥＦ系列を有し、その自身の送信機チャネルから干渉チャネル１３０４を介して受信されるパケットは、ＥＤＭＧ  ＳＴＦ及びＣＥＦ系列を有し、ＡＰ４  １０４（４）がターゲットパケットと干渉パケットとを区別し、ターゲットチャネル及び干渉チャネルをさらに推定することを可能にする。
【００７７】
図１４は、図１３に関して上述したｍｍＷａｖｅネットワーク１０２の例における送信ＡＰ１０４により実行され得る方法１４０２の一例を示すフロー図であり、図１５は、図１２に関して上述したｍｍＷａｖｅネットワーク１０２の例における受信ＡＰ１０４により実行され得る方法１５０２の一例を示すフロー図である。方法１４０２及び１５０２の双方が、送信及び受信の双方を可能にされた各ＡＰ１０４で実行されてもよい。
【００７８】
送信方法１４０２は、ターゲットチャネルにおけるパケット送信に使用するためにどのパケットプリアンブル系列がＡＰ１０４に割り当てられるかを決定する最初のステップ１４０４を含む。割り当てパケットプリアンブル系列を決定することは、パケットプリアンブル系列選択肢のうちいずれ（例えば、８０２．１１ａｄ又はＥＤＭＧ）をＡＰ１０４がターゲットチャネルにおけるパケット送信に使用するために必要とされるかを示す割り当て通知を、ネットワークコントローラ１１０から受信することを含んでもよい。
【００７９】
ＡＰ１０４が送信すべきデータを受信したとき、ＡＰ１０４はデータをパケットに組み立てる。ステップ１４０６に示されるように、ＡＰ１０４は、各パケット２００のパケットプリアンブルフィールド２１２内のターゲットチャネルのための割り当てパケットプリアンブル系列を含む。ステップ１４０８に示されるように、次いで、ＡＰ１０４は、ターゲットチャネル上でパケットを送信する。例示的な実施形態において、送信ＡＰ１０４は、ビームフォーミングを使用して、送信パケットをターゲット受信機ＡＰ１０４に向ける。ステップ１４１０に示されるように、いくつかの例示的な実施形態において、送信ＡＰ１０４は、送信ＡＰ１０４がその送信パラメータのうち１つ以上（例えば、１つ以上のビームフォーミングパラメータ）を調整して将来の同一チャネル干渉を緩和することをさせるか又は可能にするフィードバック（これは、受信ＡＰ１０４から直接的に、又はネットワークコントローラ１１０から間接的に来てもよい）を受信してもよい。
【００８０】
図１５を参照し、受信方法１５０２もまた、ＡＰ１０４がターゲットチャネルを介して受信するパケットにおいてどのパケットプリアンブル系列をＡＰ１０４が予期しているべきかを決定する最初のステップ１５０４を含む。割り当てパケットプリアンブル系列を決定することは、パケットプリアンブル系列選択肢のうちいずれ（例えば、８０２．１１ａｄ又はＥＤＭＧ）をＡＰ１０４がターゲットチャネルで受信されるパケット送信について予期しているべきかを示す割り当て通知を、ネットワークコントローラ１１０から受信することを含んでもよい。（図１６に関して以下に説明するようなネットワーク構成において、ＡＰが、同じスペクトルを使用して複数の方向において異なるパケットを同時に受信できる場合、割り当て情報は、異なる受信機ターゲットチャネルについて異なるパケットプリアンブル系列選択肢を指定し得ることに留意する。）
【００８１】
ステップ１５０６で示されるように、ＡＰは、ターゲットチャネルを介して、パケットプリアンブル系列を含むパケットを受信する。ステップ１５０８で示されるように、ＡＰ１０４は、受信パケットプリアンブル系列に含まれるＳＴＦ系列を、コンポーネント系列Ｇａ１２８、Ｇｂ１２８、Ｇｃ１２８、Ｇｄ１２８の各々と相関させる。次いで、ＡＰ１０４は、ステップ１５１０に示されるように、相関の各々について結果として生じるピークを検出し、カウントする。ステップ１５１２に示されるように、ＳＴＦ系列の相関ピークカウントは、ＡＰ１０４が、受信パケットプリアンブルが割り当てパケットプリアンブルに対応するかを決定することを可能にし、その場合、受信パケットは、ターゲットチャネルを介して受信されたターゲットパケットであると決定される。しかしながら、ＡＰ１０４が、受信パケットプリアンブルが割り当てパケットプリアンブルでないと決定した場合、ＡＰ１０４は、受信パケットがターゲットチャネルと干渉しているチャネルを介して受信された干渉パケットであると決定する。
【００８２】
ステップ１５１４に示されるように、次いで、ＡＰ１０４は、受信パケット内のＣＥＦ系列を自己相関させ（auto-correlate）てチャネル推定を得ることができる。パケットがターゲットパケットである場合、チャネル推定はターゲットチャネルに関する情報を提供し、パケットが干渉パケットである場合、チャネル推定は干渉チャネルに関する情報を提供する。ステップ１５１５で示されるように、パケットがターゲットパケットである場合、次いで、パケットの残りはチャネル推定に基づいてデコードされ得、パケットが干渉パケットである場合、パケットの残りは無視され、あるいは干渉として扱われ得る。ステップ１５１５は、代わりに、ステップ１５１４の前に実行されてもよいと考えられる。
【００８３】
ターゲットパケット又は干渉パケットのいずれかの場合、ステップ１５１６に示されるように、チャネル推定が使用されて、受信機パラメータを調整してターゲットチャネルの性能を試行及び改善し、干渉チャネルの影響を低減してもよい。調整された受信機パラメータは、ＡＰ１０４により適用される干渉除去アルゴリズムのパラメータ、及び／又はビームフォーミングパラメータを含むことができる。ステップ１５１８で示されるように、いくつかの例において、受信ＡＰ１０４は、ターゲットチャネル及び／又は干渉チャネルに関するフィードバックを送信ＡＰ及び／又はネットワークコントローラ１１０に提供して、送信ＡＰ及び／又はネットワークコントローラが将来の同一チャネル干渉を低減するアクションをとることを可能にしてもよい。
【００８４】
図１６は、ｍｍＷａｖｅネットワーク１０２のさらなる例示的な使用ケース（ケース２）を示す。図１６の例において、ＡＰ１０４は、同時に送信及び受信することはできないが、各々、第１の時分割複信（time  division  duplex、ＴＤＤ）サブフレーム期間において複数のノードから（例えば、複数のＡＰ１０４から）パケットストリームを同時に受信し、第２のＴＤＤサブフレーム期間において複数のノードに（例えば、複数のＡＰ１０４に）パケットストリームを同時に送信することができる。図１６において、ＡＰ１０４は奇数（Ｏ）又は偶数（Ｅ）として指定され、奇数のＡＰ（すなわち、ＡＰ１  １０４（１）、ＡＰ３  １０４（３））は、第１のＴＤＤサブフレームにおいてのみ送信し、第２のＴＤＤサブフレームにおいてのみ受信するように構成される。逆に、偶数のＡＰ（すなわち、ＡＰ１  １０４（２）、ＡＰ３  １０４（４））は、第２のＴＤＤサブフレームにおいてのみ送信し、第１のＴＤＤサブフレームにおいてのみ受信するように構成される。図１６のＲＦチャネル１１２（１）、１１２（２）、及び１１２（３）を表す線上の矢印の方向は、第１のＴＤＤサブフレーム（上部）の間、奇数（Ｏ）のＡＰが偶数（Ｅ）のＡＰにのみ送信し、第２のＴＤＤサブフレーム（下部）の間、偶数（Ｅ）のＡＰが奇数（Ｏ）のＡＰにのみ送信することを示す。「奇数」及び「偶数」指定は、ネットワークコントローラ１１０によりＡＰ１０４に割り振られてもよい。
【００８５】
例示的な実施形態において、ＡＰ１０４の少なくともいくつかは、ビームフォーミングアンテナを含み、ＡＰが、同じスペクトルを使用するが空間的に分離された送信機に由来する複数のパケットストリームを同時に受信し、同じスペクトルを使用するが空間的に分離された受信機をターゲットとする複数のパケットストリームを同様に同時に送信することを可能にする。例として、第１及び第２のビームフォーミングアンテナ１６（１）及び１６（２）が、図１６においてＡＰ２  １０４（２）に垂直棒として示されている。
【００８６】
図示の例において、第１のＴＤＤサブフレームの間、ＡＰ２  １０４（２）は受信専用モードで機能し、２つの受信機ターゲットチャネル、すなわち、アンテナ１６（１）でＡＰ１  １０４（１）からのターゲットパケットを受信するチャネル１１２（１）と、アンテナ１６（２）でＡＰ３  １０４（３）からのターゲットパケットを受信するチャネル１１２（２）を有する。破線１６０２、１６０４は、潜在的な干渉チャネルを表す。詳細には、破線１６０２は、あり得るノード間干渉チャネルを示し、チャネル１１２（１）のために意図されたＡＰ１  １０４（１）からのパケットがチャネル１１２（２）に対して干渉パケットに潜在的になり得ることを示す。破線１６０４は、あり得るさらなるノード間干渉チャネルを示し、チャネル１１２（２）のために意図されたＡＰ３  １０４（３）からのパケットがチャネル１１２（１）に対して干渉パケットに潜在的になり得ることを示す。
【００８７】
第２のＴＤＤサブフレームの間、ＡＰ３  １０４（３）は受信専用モードで機能し、２つの受信機ターゲットチャネル、すなわち、１つのビームフォーミングアンテナでＡＰ１１２  １０４（２）からのターゲットパケットを受信するチャネル１１２（２）と、別のビームフォーミングアンテナでＡＰ４  １０４（４）からのターゲットパケットを受信するチャネル１１２（３）を有する。破線１６０６、１６０８は、潜在的な干渉チャネルを表す。詳細には、破線１６０６は、あり得るノード間干渉チャネルを示し、チャネル１１２（２）のために意図されたＡＰ２  １０４（２）からのパケットがチャネル１１２（３）に対して干渉パケットに潜在的になり得ることを示す。破線１６０８は、あり得るさらなるノード間干渉チャネルを示し、チャネル１１２（３）のために意図されたＡＰ４  １０４（４）からのパケットがチャネル１１２（２）に対して干渉パケットに潜在的になり得ることを示す。
【００８８】
例示的な実施形態において、同一チャネル干渉は、サブフレーム内で特定のＡＰにより使用される異なる受信機チャネルの各々について使用のために異なるパケットプリアンブル系列を割り当てることにより緩和される。以下の表３Ａは、第１のＴＤＤサブフレームでの使用のために図１６のネットワークに関してなされるパケットプリアンブル割り当ての１つの選択肢を表し、表３Ｂは、第２のＴＤＤサブフレームで使用されるパケットプリアンブル割り当ての１つの選択肢を表す。
【表７】
2021501520.tif 000009
【表８】
2021501520.tif 000010
【００８９】
表３Ａのパケットプリアンブル系列割り当てから分かるように、ＡＰ２  １０４（２）の場合、それがその第１の受信機ターゲットチャネル１１２（１）を介してＡＰ１  １０４（１）から受信するターゲットパケットは、８０２．１１ａｄ  ＳＴＦ及びＣＥＦ系列を有し、それが干渉チャネル１６０４を介して受信する干渉パケット（実際には、ＡＰ２  １０４（２）の第２の受信機ターゲットチャネル１１２（２）のために意図された漂遊（stray）パケットである）は、ＥＤＭＧ  ＳＴＦ及びＣＥＦ系列を有する。さらに、ＡＰ２  １０４（２）がその第２の受信機ターゲットチャネル１１２（２）を介してＡＰ３  １０４（３）から受信するターゲットパケットは、ＥＤＭＧ  ＳＴＦ及びＣＥＦ系列を有し、それが干渉チャネル１６０２を介して受信する干渉パケット（実際には、ＡＰ２  １０４（２）の第１の受信機ターゲットチャネル１１２（２）のために意図された漂遊パケットである）は、８０２．１１ａｄ  ＳＴＦ及びＣＥＦ系列を有する。
【００９０】
受信したＳＴＦをＧｏｌａｙ系列Ｇｃ１２８、Ｇｄ１２８、Ｇａ１２８、及びＧｂ１２８の各々と相関させ、ピーク数をカウントすることにより、ＡＰ２  １０４（２）は、パケットがターゲットパケットか又は干渉パケットか（及び、さらに、それが制御パケットか又は非制御パケットか）を決定することができる。次いで、ＡＰ２  １０４（２）は、場合により、パケットのＣＥＦフィールドに含まれるデータに対して自己相関を実行して、ターゲットチャネル又は干渉チャネルを推定することができる。
【００９１】
図１６に示すような使用ケースにおいて、ＡＰ１０４が複数のターゲットチャネルを有することができる場合、方法１５０２は、各ターゲット受信チャネルに関して実行でき、方法１４０２は、各ターゲット送信チャネルに関して実行できる。
【００９２】
図１７は、ｍｍＷａｖｅネットワーク１０２のためのさらなる例示的なＴＤＤ使用ケース（ケース３）を示す。図１７の例は図１６の例と同様であるが、図１７の例では、同時に送信及び受信できないことに追加で、ＡＰ１０４は、複数のノードからパケットストリームを同時に受信することもできない。
【００９３】
図示の例において、第１のＴＤＤサブフレームの間、ＡＰ２  １０４（２）は受信専用モードで機能し、１つの受信機ターゲットチャネル、すなわち、ＡＰ１  １０４（１）からターゲットパケットを受信するチャネル１１２（１）のみを有する。さらに、第１のＴＤＤサブフレームの間、ＡＰ４  １０４（４）は受信専用モードで機能し、１つの受信機ターゲットチャネル、すなわち、ＡＰ３  １０４（３）からターゲットパケットを受信するチャネル１１２（３）のみを有する。第２のＴＤＤサブフレームの間、ＡＰ１  １０４（１）は受信専用モードで機能し、１つの受信機ターゲットチャネル、すなわちＡＰ２  １０４（１）からターゲットパケットを受信するチャネル１１２（１）のみを有する。さらに、第２のＴＤＤサブフレームの間、ＡＰ３  １０４（３）は受信専用モードで機能し、１つの受信機ターゲットチャネル、すなわち、ＡＰ４  １０４（４）からターゲットパケットを受信するチャネル１１２（３）のみを有する。
【００９４】
破線１８０２及び１８０４は潜在的な干渉チャネルを表す。詳細には、破線１８０２は、第１のＴＤＤサブフレームの間のあり得るノード間干渉チャネルを示し、チャネル１１２（１）及び受信ＡＰ２  １０４（２）のために意図されたＡＰ１  １０４（１）からのパケットがチャネル１１２（３）及び受信ＡＰ４  １０４（４）に対して干渉パケットに潜在的になり得ることを示す。破線１８０４は、第２のＴＤＤサブフレームの間のあり得るノード間干渉チャネルを示し、チャネル１１２（３）のために意図されたＡＰ４  １０４（４）からのパケットがチャネル１１２（１）及びＡＰ１  １０４（１）に対して干渉パケットに潜在的になり得ることを示す。
【００９５】
例示的な実施形態において、同一チャネル干渉は、ＴＤＤサブフレームの間の送信に使用するために、近隣ＡＰに異なるパケットプリアンブル系列を割り当てることにより緩和できる。以下の表４Ａは、第１のＴＤＤサブフレームでの使用のために図１７のネットワークに関してなされるパケットプリアンブル割り当ての１つの選択肢を表し、表４Ｂは、第２のＴＤＤサブフレームで使用されるパケットプリアンブル割り当ての１つの選択肢を表す。
【表９】
2021501520.tif 000011
【表１０】
2021501520.tif 000012
【００９６】
表４Ａのパケットプリアンブル系列割り当てから分かるように、ＡＰ４  １０４（４）の場合、それがその受信機ターゲットチャネル１１２（３）を介してＡＰ３  １０４（３）から第１のＴＤＤサブフレームの間に受信するターゲットパケットは、ＥＤＭＧ  ＳＴＦ及びＣＥＦ系列を有し、それが干渉チャネル１８０２を介して受信する干渉パケットは、８０２．１１ａｄ  ＳＴＦ及びＣＥＦ系列を有する。さらに、ＡＰ１  １０４（１）がその受信機ターゲットチャネル１１２（１）を介してＡＰ２  １０４（２）から受信するターゲットパケットは、８０２．１１ａｄ  ＳＴＦ及びＣＥＦ系列を有し、それが干渉チャネル１８０４を介して受信する干渉パケットは、ＥＤＭＧ  ＳＴＦ及びＣＥＦ系列を有する。
【００９７】
合計で２つの制御及び２つの非制御パケットプリアンブル系列選択肢が上で開示されているが、さらなる例示的な実施形態において、コンポーネント相補系列Ｇａ１２８、Ｇｂ１２８、Ｇｃ１２８、Ｇｄ１２８のセットが、さらなるプリアンブルパケット系列選択肢を構築してさらなる同一チャネル干渉低減能力を提供するために使用される。
【００９８】
上述の実施形態は、ＺＣＺ特性を有する２つのＣＥＦ系列のセット（ＥＤＭＧ  ＣＥＦ‐１系列８６０及びレガシー８０２．１１ａｄ  ＣＥＦ  ４６０）を提供する。例示的な実施形態によれば、ＣＥＦ系列のより大きいセットが提供される。これに関し、４つのＥＤＭＧ  ＣＥＦ系列のセット１８０２が、図１８に提示されるように、それぞれＣＥＦ‐Ａ、ＣＥＦ‐Ｂ、ＣＥＦ‐Ｃ、及びＣＥＦ‐Ｄとしてラベル付けされて提案される。系列ＣＥＦ‐Ａ、ＣＥＦ‐Ｂ、ＣＥＦ‐Ｃ、及びＣＥＦ‐Ｄは、コンポーネント相補系列Ｇａ１２８、Ｇｂ１２８、Ｇｃ１２８、Ｇｄ１２８の種々の組み合わせから形成される。系列ＣＥＦ‐Ａ、ＣＥＦ‐Ｂ、ＣＥＦ‐Ｃ、及びＣＥＦ‐Ｄは各々、系列のうち任意の２つが相互相関しているとき［−１２８，１２８］のシフト範囲内のＺＣＺを、及び自己相関しているとき０シフトで中心ピークを有する［−１２８，１２８］のシフト範囲内のデルタ関数を提供するように構成される。
【００９９】
図１９を参照し、例示的な実施形態において、新しいＣＥＦ系列ＣＥＦ‐Ａ、ＣＥＦ‐Ｂ、ＣＥＦ‐Ｃ、及びＣＥＦ‐Ｄは上で開示された８０２．１１ａｄ  ＳＴＦ及びＥＤＭＧ非制御ＳＴＦ系列のＳＴＦ４００及びＳＴＦ１０００と組み合わせられ、パケットフィールド２１２における使用のための４つのＥＤＭＧ非制御ＰＨＹパケットプリアンブル（packet  preamble、ＰＰ）系列選択肢の非制御パケットプリアンブルセット１９０２を提供する。図１９において、非制御パケットプリアンブルセット１９０２は、ＰＰ‐ＮＣ‐Ａ、ＰＰ‐ＮＣ‐Ｂ、ＰＰ‐ＮＣ‐Ｃ、及びＰＰ‐ＮＣ‐Ｄとそれぞれラベル付けされた４つの非制御ＰＨＹパケットプリアンブル（ＰＰ）系列を含む。
【０１００】
図２０を参照し、例示的な実施形態において、新しいＣＥＦ系列ＣＥＦ‐Ａ、ＣＥＦ‐Ｂ、ＣＥＦ‐Ｃ、及びＣＥＦ‐Ｄは上で開示された８０２．１１ａｄ  ＳＴＦ及びＥＤＭＧ制御ＳＴＦ系列のＳＴＦ４５０及びＳＴＦ１０５０と組み合わせられ、パケットフィールド２１２における使用のための４つのＥＤＭＧ制御ＰＨＹパケットプリアンブル（ＰＰ）系列選択肢の制御パケットプリアンブルセット２００２を提供する。図２０において、制御パケットプリアンブルセット２００２は、ＰＰ‐Ｃ‐Ａ、ＰＰ‐Ｃ‐Ｂ、ＰＰ‐Ｃ‐Ｃ、及びＰＰ‐Ｃ‐Ｄとそれぞれラベル付けされた４つの制御ＰＨＹパケットプリアンブル（ＰＰ）系列選択肢を含む。
【０１０１】
例示的な実施形態において、非制御パケットプリアンブルセット１９０２及び制御パケットプリアンブルセット２００２が使用されて、ＡＰ１０４などの分散ノード及びＳＴＡ１０６などのクライアントノード間の同一チャネル干渉を緩和することができる。これに関し、図２１は、ｍｍＷａｖｅネットワーク１０２のさらなる例示的なＴＤＤ使用ケース（ケース４）を示す。図２１の例において、ＡＰ０はＳＴＡｊ、ＳＴＡ０、及びＳＴＡ１に関連づけられ、ＡＰ１はＳＴＡ２、ＳＴＡ３、及びＳＴＡｉに関連づけられる。さらに、ＡＰＯと、ＡＰ１に関連づけられたＳＴＡ（ＳＴＡ２、ＳＴＡ３、ＳＴＡｉ）の各々は、第１のＴＤＤサブフレームで受信するように構成され、ＡＰ１と、ＡＰ１に関連づけられたＳＴＡ（ＳＴＡｊ、ＳＴＡ０、ＳＴＡ１）の各々は、第１のＴＤＤサブフレームで送信するように構成される。受信と送信の役割は、第２のＴＤＤサブフレームで反転される。
【０１０２】
図２１の例において、各ＡＰとその関連づけられたＳＴＡとの間のトラフィック、及びＡＰ間のトラフィックは、干渉を低減するために各ＴＤＤサブフレーム内の特定の時間スロットに対して協調される。これに関し、ターゲットチャネル及びそれらのそれぞれの時間スロットは、第１のＴＤＤサブフレームについては２１０６で、第２のＴＤＤサブフレームについては２１０８で示される。しかしながら、ＡＰ及び関連づけられていないＳＴＡのための送信は協調されず、これは、例えば図２１の線２１０２及び２１０４により示されるように、同一チャネル干渉が生じる可能性を残す。
【０１０３】
同一チャネル干渉を低減するために、パケットプリアンブルが割り当てられ、それにより、各分散ノードＡＰ及びその関連づけられたＳＴＡは、それらのターゲットチャネルに使用すべきパケットプリアンブル系列を割り振られ、該パケットプリアンブル系列は、近隣分散ノードＡＰ及びその関連づけられたＳＴＡにより使用されるＣＥＦ系列との間でＺＣＺ特性を有するＣＥＦ系列を含む。
【０１０４】
このようなチャネル割り当ては、任意のＡＰ又はＳＴＡが、パケットを受信すると、ＣＥＦ系列セットを使用して実行されるチャネル推定に基づいて干渉除去を行うことを可能にする。これに関し、ＡＰ／ＳＴＡは、送信するとき図１４の方法を、及び受信するとき図１５の方法を使用することができる。
【０１０５】
次に図２２を参照し、４つのＥＤＭＧ  ＣＥＦ系列のさらなるセット１２０２が開示される。セット１２０２は、上で開示された系列ＣＥＦ‐Ｂ及びＣＥＦ‐Ｄを含み、新たに導入された系列ＣＥＦ‐Ｅ及びＣＥＦ‐Ｆをさらに含む。系列ＣＥＦ‐Ｅ、ＣＥＦ‐Ｆもまた、コンポーネント相補系列Ｇａ１２８、Ｇｂ１２８、Ｇｃ１２８、Ｇｄ１２８の種々の組み合わせから形成される。系列ＣＥＦ‐Ｂ、ＣＥＦ‐Ｄ、ＣＥＦ‐Ｅ、及びＣＥＦ‐Ｆは、セットの任意の２つの系列が相互相関しているとき［−１２８，１２８］のシフト範囲内のＺＣＺを提供し、任意の系列が自己相関しているとき［−１２８，１２８］のシフト範囲内のデルタ関数を提供するように構成される。
【０１０６】
図２３を参照し、例示的な実施形態において、ＣＥＦ系列ＣＥＦ‐Ｂ、ＣＥＦ‐Ｄ、ＣＥＦ‐Ｅ、及びＣＥＦ‐Ｆは、上で開示されたＳＴＦ系列のＳＴＦ４００及びＳＴＦ１０００と組み合わせられ、パケットフィールド２１２における使用のための４つのＥＤＭＧ非制御ＰＨＹパケットプリアンブル（ＰＰ）系列選択肢の非制御パケットプリアンブルセット２３０２を提供する。図２３において、セット２３０２は、上記で論じられたパケットプリアンブル系列ＰＰ‐ＮＣ‐Ｂ及びＰＰ‐ＮＣ‐Ｄを含み、２つの新しい非制御ＰＨＹパケットプリアンブル（ＰＰ）系列選択肢、ＰＰ‐ＮＣ‐Ｅ及びＰＰ‐ＮＣ‐Ｆをさらに含む。図２３に見られるように、ＰＰ‐ＮＣ‐Ｅは、コンポーネント系列Ｇｂ１２８の１６個の反復を含む新しいＳＴＦ系列２３０４を含む。ＰＰ‐ＮＣ‐Ｆは、コンポーネント系列Ｇｃ１２８の１６個の反復を含む新しいＳＴＦ系列２３０６を含む。前述の実施形態の各々において、コンポーネント系列Ｇｃ１２８及びＧｄ１２８は制御ＳＴＦ系列に使用されたが、本実施形態において、セット２３０２は、４つの非制御ＳＴＦ系列及びＣＥＦ系列のセットを生成する際に使用可能であることに留意されたい。
【０１０７】
８０２．１１ａｄにおいて、制御パケットはビームフォーミングトレーニングに一般に使用され、通信リンクの少なくとも一方の側が擬似オムニ（quasi-omni）アンテナパターンを使用する。少なくともいくつかのＥＤＭＧの例において、ＴＤＤサービス期間（Service  Period、ＳＰ）が定常状態で割り振られ、すべてのトラフィックが非制御パケットを介して送信されることを仮定する。これは、コンポーネント系列Ｇｃ１２８及びＧｄ１２８が制御ＳＴＦ系列のために予約される必要がないことを意味する。したがって、図２３の実施形態において、非制御プリアンブルパケットのセット２３０２は、コンポーネント系列Ｇａ１２８、Ｇｂ１２８、Ｇｃ１２８、及びＧｄ１２８のすべてを集合的に使用する非制御ＳＴＦ系列を含む。
【０１０８】
図２４は、本明細書に記載される方法を実行する実施形態の処理システム２６００のブロック図であり、これは、例えばＡＰなどのネットワーク分散ノード又はＥＤなどのクライアントノードを含むホストデバイスにインストールされてもよい。図示されるように、処理システム２６００は、プロセッサ２６０２、メモリ２６０４、及びインターフェース２６０６〜２６１０を含み、これらは、図２４に示されるように配置されてもよい（あるいは、そうでなくてもよい）。プロセッサ２６０２は、計算及び／又は他の処理関連タスクを実行するように適合された任意のコンポーネント又はコンポーネントの集合でもよく、メモリ２６０４は、プロセッサ２６０２による実行のためのプログラミング及び／又は命令を記憶するように適合された任意のコンポーネント又はコンポーネントの集合でもよい。一実施形態において、メモリ２６０４は、非一時的コンピュータ読取可能媒体を含む。インターフェース２６０６、２６０８、２６１０は、処理システム２６００が他のデバイス／コンポーネント及び／又はユーザと通信することを可能にする任意のコンポーネント又はコンポーネントの集合でもよい。例えば、インターフェース２６０６、２６０８、２６１０のうち１つ以上は、プロセッサ２６０２からのデータ、制御、又は管理メッセージを、ホストデバイス及び／又はリモートデバイスにインストールされたアプリケーションに通信するように適合されてもよい。別の例として、インターフェース２６０６、２６０８、２６１０のうち１つ以上が、ユーザ又はユーザデバイス（例えば、パーソナルコンピュータ（personal  computer、ＰＣ）等）が処理システム２６００と対話／通信することを可能にするように適合されてもよい。処理システム２６００は、長期記憶装置（例えば、不揮発性メモリ等）など、図２４に示されないさらなるコンポーネントを含んでもよい。
【０１０９】
いくつかの実施形態において、処理システム２６００は、電気通信ネットワークにアクセスしているか又はその他の方法でその一部であるネットワークデバイスに含まれる。一例において、処理システム２６００は、基地局、中継局、スケジューラ、コントローラ、ゲートウェイ、ルータ、アプリケーションサーバ、又は電気通信ネットワーク内の任意の他のデバイスなどの、無線又は有線電気通信ネットワーク内のネットワーク側デバイス内にある。他の実施形態において、処理システム２６００は、移動局、ユーザ装置（ＵＥ）、パーソナルコンピュータ（ＰＣ）、タブレット、ウェアラブル通信デバイス（例えば、スマートウォッチ等）、又は電気通信ネットワークにアクセスするように適合された任意の他のデバイスなどの、無線又は有線電気通信ネットワークにアクセスするユーザ側デバイス内にある。
【０１１０】
いくつかの実施形態において、インターフェース２６０６、２６０８、２６１０のうち１つ以上が、処理システム２６００を、電気通信ネットワークを通じてシグナリングを送信及び受信するように適合されたトランシーバに接続する。図２５は、電気通信ネットワークを通じてシグナリングを送信及び受信するように適合されたトランシーバ２７００のブロック図である。トランシーバ２７００は、ホストデバイスにインストールされてもよい。図示されるように、トランシーバ２７００は、ネットワーク側インターフェース２７０２、カプラ２７０４、送信機２７０６、受信機２７０８、信号プロセッサ２７１０、及びデバイス側インターフェース２７１２を含む。ネットワーク側インターフェース２７０２は、無線又は有線電気通信ネットワークを通じてシグナリングを送信又は受信するように適合された任意のコンポーネント又はコンポーネントの集合を含んでもよい。カプラ２７０４は、ネットワーク側インターフェース２７０２を通じた双方向通信を容易にするように適合された任意のコンポーネント又はコンポーネントの集合を含んでもよい。送信機２７０６は、ベースバンド信号をネットワーク側インターフェース２７０２を通じての送信に適した変調搬送波信号に変換するように適合された任意のコンポーネント又はコンポーネントの集合（例えば、アップコンバータ、電力増幅器等）を含んでもよい。受信機２７０８は、ネットワーク側インターフェース２７０２を通じて受信された搬送波信号をベースバンド信号に変換するように適合された任意のコンポーネント又はコンポーネントの集合（例えば、ダウンコンバータ、低雑音増幅器等）を含んでもよい。信号プロセッサ２７１０は、ベースバンド信号をデバイス側インターフェース２７１２を通じての通信に適したデータ信号に、又はその逆に変換するように適合された任意のコンポーネント又はコンポーネントのコレクションを含んでもよい。デバイス側インターフェース２７１２は、信号プロセッサ２７１０とホストデバイス内のコンポーネント（例えば、処理システム２６００、ローカルエリアネットワーク（local  area  network、ＬＡＮ）ポート等）との間でデータ信号を通信するように適合された任意のコンポーネント又はコンポーネントの集合を含んでもよい。
【０１１１】
トランシーバ２７００は、任意のタイプの通信媒体を通じてシグナリングを送信及び受信してもよい。いくつかの実施形態において、トランシーバ２７００は、無線媒体を通じてシグナリングを送信及び受信する。例えば、トランシーバ２７００は、セルラープロトコル（例えば、ロングタームエボリューション（ＬＴＥ）等）、無線ローカルエリアネットワーク（wireless  local  area  network、ＷＬＡＮ）プロトコル（例えば、Ｗｉ‐Ｆｉ等）、又は任意の他タイプの無線プロトコル（例えば、Ｂｌｕｅｔｏｏｔｈ、近距離通信（near  field  communication、ＮＦＣ）等）などの無線通信プロトコルに従って通信するように適合された無線トランシーバでもよい。そのような実施形態において、ネットワーク側インターフェース２７０２は、１つ以上のアンテナ／放射素子を含む。例えば、ネットワーク側インターフェース２７０２は、単一のアンテナ、複数の別個のアンテナ、又はマルチレイヤ通信に対して構成されたマルチアンテナアレイ、例えば、単一入力複数出力（single  input  multiple  output、ＳＩＭＯ）、複数入力単一出力（multiple  input  single  output、ＭＩＳＯ）、複数入力複数出力（multiple  input  multiple  output、ＭＩＭＯ）等を含んでもよい。他の実施形態において、トランシーバ２７００は、有線媒体、例えば、ツイストペアケーブル、同軸ケーブル、光ファイバなどを通じてシグナリングを送信及び受信する。特定の処理システム及び／又はトランシーバが、示されたコンポーネントの全て、又はコンポーネントのサブセットのみを利用してもよく、統合のレベルは、デバイスごとに変わってもよい。
【０１１２】
図２６は、例示的なＥＤＭＧ  ＰＰＤＵフォーマットを有する一例示的なパケット２８００の図である。比較すると、図２のパケット２００は、一例示的なＤＭＧ  ＰＰＤＵフォーマットを有する。パケット２８００は、無線ＰＨＹパケットでもよく、制御又は非制御パケットでもよい。
【０１１３】
パケット２８００は、レガシーＳＴＦ（Ｌ‐ＳＴＦ）フィールド２８０２、レガシーＣＥＦ（Ｌ‐ＣＥＦ）フィールド２８０４、レガシーヘッダ（Ｌ‐ｈｅａｄｅｒ）２８０６、ＥＤＭＧ‐Ｈｅａｄｅｒ‐Ａ  ２８０８、ＥＤＭＧ‐ＳＴＦフィールド２８１０、ＥＤＭＧ‐ＣＥＦフィールド２８１２、ＥＤＭＧ‐Ｈｅａｄｅｒ‐Ｂ  ２８１４、データペイロード２８１６、及びトレーニング（ＴＲＮ）フィールド２８１８を含む。パケット２８００は他のフィールドを含み得ることを理解されたい。
【０１１４】
Ｌ‐ＳＴＦフィールド２８０２、Ｌ‐ＣＥＦフィールド２８０４、Ｌ‐ｈｅａｄｅｒ２８０６、及びＥＤＭＧ‐Ｈｅａｄｅｒ‐Ａ２８０８は合わせて、パケット２８００のプレＥＤＭＧ（pre-EDMG）変調フィールド２８２２と呼ばれ得る。ＥＤＭＧ‐ＳＴＦフィールド２８１０、ＥＤＭＧ‐ＣＥＦフィールド２８１２、ＥＤＭＧ‐Ｈｅａｄｅｒ‐Ｂ  ２８１４、データペイロード２８１６、及びＴＲＮフィールド２８１８は合わせて、パケット２８００のＥＤＭＧ変調フィールド２８２４と呼ばれ得る。
【０１１５】
さらに、Ｌ‐ＳＴＦフィールド２８０２、Ｌ‐ＣＥＦフィールド２８０４、及びＬ‐ｈｅａｄｅｒ２８０６はまとめて、パケット２８００の非ＥＤＭＧ部分２８２６と呼ばれ得る。ＥＤＭＧ‐Ｈｅａｄｅｒ‐Ａ  ２８０８、ＥＤＭＧ‐ＳＴＦフィールド２８１０、ＥＤＭＧ‐ＣＥＦフィールド２８１２、ＥＤＭＧ‐Ｈｅａｄｅｒ‐Ｂ  ２８１４、データペイロード２８１６、及びＴＲＮフィールド２８１８はまとめて、パケット２８００のＥＤＭＧ部分２８２８と呼ばれ得る。
【０１１６】
Ｌ‐ＳＴＦフィールド２８０２及びＬ‐ＣＥＦフィールド２８０４は、８０２．１１ａｄに従ってレガシーＳＴＦ及びレガシーＣＥＦを送信するために使用される。８０２．１１ａｙのための従来のパケット設計によれば、ＭＩＭＯ伝送に使用されるＣＥＦは、Ｌ‐ヘッダ２８０６に続くＥＤＭＧ‐ＣＥＦフィールド２８１２内に配置され、レガシーＣＥＦ系列の系列長より長い（例えば、２倍以上の）可能性がある。例えば、８０２．１１ａｙによれば、ＭＩＭＯ伝送に使用されるストリーム数が２より大きいとき、ＥＤＭＧ‐ＣＥＦ系列の長さはレガシーＣＥＦ系列より長い。
【０１１７】
本明細書で開示される例示的なＳＴＦ及びＣＥＦは、代わりに、それぞれＬ‐ＳＴＦフィールド２８０２及びＬ‐ＣＥＦフィールド２８０４の位置に配置されてもよく、レガシーＳＴＦ及びレガシーＣＥＦの既存の仕様内の長さを有してもよい。
【０１１８】
本明細書に記載される例において、新しいＳＴＦ及びＣＥＦ設計は、Ｇｏｌａｙ系列のペアから形成されるコンポーネント系列のセットに基づいて説明されている。いくつかの例において、本開示は、セット内のＣＥＦのペアがペアごとのＺＣＺ特性を有する、ＣＥＦのセットを説明する。これは、開示のＣＥＦがＥＤＭＧパケットのレガシーＣＥＦフィールド内に適合するよう設計されることを可能にし得る。
【０１１９】
受信機は、ターゲットパケット検出を行うために割り当てコンポーネント系列を記憶してもよく、あるいは割り当てＳＴＦ系列全体を記憶してもよい。
【０１２０】
本説明が詳細に説明されてきたが、別記の特許請求の範囲により定義される本開示の主旨及び範囲から逸脱することなく、種々の変更、置換、及び改変がなされ得ることを理解されたい。さらに、本開示の範囲は、本明細書に記載された特定の実施形態に限定されることは意図されず、当業者は、本開示から、現在存在するか又は後に開発されることになるプロセス、機械、製造、物質の組成、手段、方法、又はステップが、本明細書に記載された対応する実施形態と実質的に同じ機能を実行し、あるいは実質的に同じ結果を達成し得ることを容易に理解するであろう。したがって、別記の特許請求の範囲は、その範囲内に、そのような方法、機械、製造、物質の組成、手段、方法、又はステップを含むことが意図される。
記載された実施形態の特定の適合化及び変更がなされてもよい。したがって、上記で論じられた実施形態は限定的でなく例示的であるとみなされる。
【図１】
2021501520.tif 000017
【図２】
2021501520.tif 000018
【図３Ａ】
2021501520.tif 000019
【図３Ｂ】
2021501520.tif 000020
【図４Ａ】
2021501520.tif 000021
【図４Ｂ】
2021501520.tif 000022
【図４Ｃ】
2021501520.tif 000023
【図５Ａ】
2021501520.tif 000024
【図５Ｂ】
2021501520.tif 000025
【図５Ｃ】
2021501520.tif 000026
【図５Ｄ】
2021501520.tif 000027
【図５Ｅ】
2021501520.tif 000028
【図６Ａ】
2021501520.tif 000029
【図６Ｂ】
2021501520.tif 000030
【図７Ａ】
2021501520.tif 000031
【図７Ｂ】
2021501520.tif 000032
【図７Ｃ】
2021501520.tif 000033
【図７Ｄ】
2021501520.tif 000034
【図７Ｅ】
2021501520.tif 000035
【図７Ｆ】
2021501520.tif 000036
【図７Ｇ】
2021501520.tif 000037
【図７Ｈ】
2021501520.tif 000038
【図８】
2021501520.tif 000039
【図９Ａ】
2021501520.tif 000040
【図９Ｂ】
2021501520.tif 000041
【図１０Ａ】
2021501520.tif 000042
【図１０Ｂ】
2021501520.tif 000043
【図１１Ａ】
2021501520.tif 000044
【図１１Ｂ】
2021501520.tif 000045
【図１１Ｃ】
2021501520.tif 000046
【図１１Ｄ】
2021501520.tif 000047
【図１２Ａ】
2021501520.tif 000048
【図１２Ｂ】
2021501520.tif 000049
【図１２Ｃ】
2021501520.tif 000050
【図１２Ｄ】
2021501520.tif 000051
【図１３】
2021501520.tif 000052
【図１４】
2021501520.tif 000053
【図１５】
2021501520.tif 000054
【図１６】
2021501520.tif 000055
【図１７】
2021501520.tif 000056
【図１８】
2021501520.tif 000057
【図１９】
2021501520.tif 000058
【図２０】
2021501520.tif 000059
【図２１】
2021501520.tif 000060
【図２２】
2021501520.tif 000061
【図２３】
2021501520.tif 000062
【図２４】
2021501520.tif 000063
【図２５】
2021501520.tif 000064
【図２６】
2021501520.tif 000065
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
受信機における方法であって、
受信ショートトレーニングフィールド（ＳＴＦ）及び受信チャネル推定フィールド（ＣＥＦ）を含む無線パケットを受信するステップと、
前記ＳＴＦと少なくとも４つの異なるコンポーネント系列のセットからの少なくとも１つのコンポーネント系列との間の相互相関を実行することであり、前記コンポーネント系列のセットはＧｏｌａｙ系列のペアのセットであることと、前記相互相関の出力を予期された出力と比較することとにより、前記受信ＳＴＦが前記受信機のターゲットリンクに対して割り当てられた割り当てＳＴＦとマッチするかどうかを決定するステップであり、前記受信ＳＴＦが前記割り当てＳＴＦとマッチするとき、前記無線パケットは前記受信機の前記ターゲットリンクに対するターゲットパケットであると決定される、ステップと、
前記受信ＣＥＦの、前記受信機の前記ターゲットリンクに対して割り当てられた割り当てＣＥＦとの相互相関を実行することにより、チャネル推定を実行するステップであり、前記割り当てＣＥＦは２つ以上のＣＥＦのセットから割り当てられ、前記ＣＥＦのセット内の各ＣＥＦは前記少なくとも４つの異なるコンポーネント系列のセットからの１つ以上の系列を使用して形成され、前記ＣＥＦのセット内の前記ＣＥＦはペアごとのゼロ相関ゾーン（ＺＣＺ）系列であり、それにより、ＣＥＦの各ペアはＺＣＺにわたり無視可能な相互相関出力を有し、各ＣＥＦは前記ＺＣＺにわたりデルタ関数自己相関を有する、ステップと、
前記無線パケットがターゲットパケットであるかどうかに基づいて、前記無線パケットの残り部分を復調し、あるいは無視するステップと、
を含む方法。
【請求項２】
前記少なくとも４つの異なるコンポーネント系列のセットは、系列Ｇｃ１２８又は系列Ｇｄ１２８のうち少なくとも１つを含み、
【表１】
2021501520.tif 000066
請求項１に記載の方法。
【請求項３】
前記少なくとも４つの異なるコンポーネント系列のセットは、前記系列Ｇｃ１２８及びＧｄ１２８の双方を含む、請求項２に記載の方法。
【請求項４】
前記少なくとも４つの異なるコンポーネント系列のセットは、系列Ｇａ１２８及び系列Ｇｂ１２８をさらに含み、
【表２】
2021501520.tif 000067
請求項３に記載の方法。
【請求項５】
前記相互相関の出力を予期された出力と比較するステップは、
前記少なくとも１つのコンポーネント系列と前記受信ＳＴＦとの間の相互相関ピーク数を決定するステップと、
前記決定された相互相関ピーク数を、前記割り当てＳＴＦに対して予期された相互相関ピーク数と比較するステップと、を含み、
前記決定された相互相関ピーク数と前記予期された相互相関ピーク数との間のマッチは、前記無線パケットが前記受信機の前記ターゲットリンクで送信されたターゲットパケットであることを示す、請求項１乃至４のうちいずれか１項に記載の方法。
【請求項６】
前記無線パケットが前記受信機のターゲットパケットであると決定した後、前記受信ＣＥＦと前記割り当てＣＥＦとの相互相関に基づいて前記ターゲットリンクの前記チャネル推定を実行するステップと、
少なくとも前記ターゲットリンクの前記チャネル推定に基づいて、前記無線パケットの前記残り部分のペイロードを復調するステップと、
をさらに含む請求項１乃至５のうちいずれか１項に記載の方法。
【請求項７】
前記無線パケットが前記受信機のターゲットパケットでないと決定した後、前記受信ＣＥＦと、前記ＣＥＦのセット内の前記割り当てＣＥＦ以外の別のＣＥＦとの相互相関に基づいて、干渉リンクについて前記チャネル推定を実行するステップと、
前記無線パケットの前記残り部分を無視するステップと、
をさらに含む請求項１乃至６のうちいずれか１項に記載の方法。
【請求項８】
前記無線パケットが前記受信機のターゲットパケットであるかどうかを決定するために使用される前記割り当てＳＴＦの指標をネットワークコントローラから受信するステップ、
をさらに含む請求項１乃至７のうちいずれか１項に記載の方法。
【請求項９】
測定された同一チャネル干渉条件に関する情報を前記ネットワークコントローラに送信するステップ、をさらに含み、
前記割り当て系列は、測定された同一チャネル干渉条件に関する前記情報に基づいて前記ネットワークコントローラにより割り当てられる、請求項８に記載の方法。
【請求項１０】
前記少なくとも４つの異なるコンポーネント系列のセットからの複数の割り当てＳＴＦ又は割り当てコンポーネント系列を記憶するステップであり、各割り当てＳＴＦ又は割り当てコンポーネント系列はそれぞれのリンクに割り当てられる、ステップと、
前記無線パケットが前記受信機のターゲットパケットであるかどうかを決定するために前記複数の割り当てＳＴＦ又は割り当てコンポーネント系列のうちいずれを使用するかを、前記受信機のターゲットパケットの前記リンクに基づいて決定するステップと、
をさらに含む、請求項１乃至９のうちいずれか１項に記載の方法。
【請求項１１】
送信機における方法であって、
少なくとも１つの割り当てショートトレーニングフィールド（ＳＴＦ）系列及び少なくとも１つの割り当てチャネル推定フィールド（ＣＥＦ）系列を記憶するステップであり、
前記割り当てＳＴＦ系列は少なくとも４つの異なるコンポーネント系列のセットのうち１つのコンポーネント系列から形成され、前記少なくとも４つの異なるコンポーネント系列のセットはＧｏｌａｙ系列のペアのセットであり、
前記割り当てＣＥＦ系列は２つ以上のＣＥＦのセットからのものであり、前記ＣＥＦのセット内の各ＣＥＦは前記少なくとも４つの異なるコンポーネント系列のセットのうち１つ以上の系列から形成され、前記ＣＥＦのセット内の前記ＣＥＦはペアごとのゼロ相関ゾーン（ＺＣＺ）系列であり、それにより、ＣＥＦの各ペアはＺＣＺにわたり無視可能な相互相関出力を有し、各ＣＥＦは前記ＺＣＺにわたりデルタ関数自己相関を有する、ステップと、
前記割り当てＳＴＦ系列及び前記割り当てＣＥＦ系列を含む無線パケットを生成するステップと、
前記無線パケットを送信リンクを通じて送信するステップと、
を含む方法。
【請求項１２】
前記少なくとも４つの異なるコンポーネント系列のセットは、系列Ｇｃ１２８又は系列Ｇｄ１２８のうち少なくとも１つを含み、
【表３】
2021501520.tif 000068
請求項１１に記載の方法。
【請求項１３】
前記少なくとも４つの異なるコンポーネント系列のセットは、前記系列Ｇｃ１２８及びＧｄ１２８の双方を含む、請求項１２に記載の方法。
【請求項１４】
前記少なくとも４つの異なるコンポーネント系列のセットは、系列Ｇａ１２８及び系列Ｇｂ１２８をさらに含み、
【表４】
2021501520.tif 000069
請求項１２に記載の方法。
【請求項１５】
前記割り当てＳＴＦ系列及び前記割り当てＣＥＦ系列の指標をネットワークコントローラから受信するステップ、
をさらに含む請求項１１乃至１４のうちいずれか１項に記載の方法。
【請求項１６】
測定された同一チャネル干渉条件に関する情報を前記ネットワークコントローラに送信するステップ、をさらに含み、
前記割り当てＳＴＦ系列及び割り当てＣＥＦ系列は、測定された同一チャネル干渉条件に関する前記情報に基づいて前記ネットワークコントローラにより割り当てられる、請求項１５に記載の方法。
【請求項１７】
複数の割り当てＳＴＦ系列及び複数の割り当てＣＥＦ系列を記憶するステップであり、各割り当てＳＴＦ系列及び各割り当てＣＥＦ系列はそれぞれの送信リンクに割り当てられる、ステップと、
前記無線パケットを生成するために前記複数の割り当てＳＴＦ系列のうちいずれを、及び前記複数の割り当てＣＥＦ系列のうちいずれを使用するかを、前記送信リンクの少なくとも１つに依存して決定するステップと、
をさらに含む請求項１１乃至１６のうちいずれか１項に記載の方法。
【請求項１８】
ミリメートル波（ミリ波）無線通信ネットワークにおけるデバイスであって、
ターゲットリンクを通じて無線パケットを受信する受信機と、
メモリと、
前記受信機及び前記メモリに結合されたプロセッサと、を含み、前記プロセッサは、命令を実行して当該デバイスに、
受信ショートトレーニングフィールド（ＳＴＦ）及び受信チャネル推定フィールド（ＣＥＦ）を含む無線パケットを受信し、
前記ＳＴＦと少なくとも４つの異なるコンポーネント系列のセットからの少なくとも１つのコンポーネント系列との間の相互相関を実行することであり、前記少なくとも４つの異なるコンポーネント系列のセットはＧｏｌａｙ系列のペアのセットであることと、前記相互相関の出力を予期された出力と比較することとにより、前記受信ＳＴＦが前記受信機のターゲットリンクに対して割り当てられた割り当てＳＴＦとマッチするかどうかを決定し、前記受信ＳＴＦが前記割り当てＳＴＦとマッチするとき、前記無線パケットは前記受信機の前記ターゲットリンクに対するターゲットパケットであると決定され、
前記受信ＣＥＦの、前記受信機の前記ターゲットリンクに対して割り当てられた割り当てＣＥＦとの相互相関を実行することにより、チャネル推定を実行し、前記割り当てＣＥＦは２つ以上のＣＥＦのセットから割り当てられ、前記ＣＥＦのセット内の各ＣＥＦは前記少なくとも４つの異なるコンポーネント系列のセットからの１つ以上の系列を使用して形成され、前記ＣＥＦのセット内の前記ＣＥＦは、ペアごとのゼロ相関ゾーン（ＺＣＺ）系列であり、それにより、ＣＥＦの各ペアはＺＣＺにわたり無視可能な相互相関出力を有し、各ＣＥＦは前記ＺＣＺにわたりデルタ関数自己相関を有し、
前記無線パケットがターゲットパケットであるかどうかに基づいて、前記無線パケットの残り部分を復調し、あるいは無視する
ことをさせる、デバイス。
【請求項１９】
ミリメートル波（ミリ波）無線通信ネットワークにおけるデバイスであって、
送信リンクを通じて無線パケットを送信する送信機と、
メモリと、
前記送信機及び前記メモリに結合されたプロセッサと、を含み、前記プロセッサは、命令を実行して当該デバイスに、
少なくとも１つの割り当てショートトレーニングフィールド（ＳＴＦ）系列及び少なくとも１つの割り当てチャネル推定フィールド（ＣＥＦ）系列を記憶し、
前記割り当てＳＴＦ系列は少なくとも４つの異なるコンポーネント系列のセットのうち１つのコンポーネント系列から形成され、前記少なくとも４つの異なるコンポーネント系列のセットはＧｏｌａｙ系列のペアのセットであり、
前記割り当てＣＥＦ系列は２つ以上のＣＥＦのセットからのものであり、前記ＣＥＦのセット内の各ＣＥＦは前記少なくとも４つの異なるコンポーネント系列のセットのうち１つ以上の系列から形成され、前記ＣＥＦのセット内の前記ＣＥＦはペアごとのゼロ相関ゾーン（ＺＣＺ）系列であり、それにより、ＣＥＦの各ペアはＺＣＺにわたり無視可能な相互相関出力を有し、各ＣＥＦは前記ＺＣＺにわたりデルタ関数自己相関を有し、
前記割り当てＳＴＦ系列及び前記割り当てＣＥＦ系列を含む無線パケットを生成し、
前記無線パケットを送信リンクを通じて送信する
ことをさせる、デバイス。
【手続補正２】
【補正対象書類名】明細書
【補正対象項目名】０００２
【補正方法】変更
【補正の内容】
【０００２】
［技術分野］
本開示は、概して無線ネットワークに関し、詳細には、ミリメートル波（millimeter  wave）（ミリ波（mmWave））ネットワークの高密度展開における同期及びチャネル推定のための手法及びメカニズムに関する。
【手続補正３】
【補正対象書類名】明細書
【補正対象項目名】００２７
【補正方法】変更
【補正の内容】
【００２７】
いくつかの態様において、本開示はミリメートル波（ミリ波（mmWave））無線通信ネットワークにおけるデバイスを説明する。当該デバイスは、送信リンクを通じて無線パケットを送信する送信機と、メモリと、送信機及びメモリに結合されたプロセッサとを含む。プロセッサは、命令を実行して当該デバイスに、少なくとも１つの割り当てショートトレーニングフィールド（ＳＴＦ）系列及び少なくとも１つの割り当てチャネル推定フィールド（ＣＥＦ）系列を記憶することをさせるように構成される。割り当てＳＴＦ系列は少なくとも４つの異なるコンポーネント系列のセットのうち１つのコンポーネント系列から形成され、少なくとも４つの異なるコンポーネント系列のセットはＧｏｌａｙ系列のペアのセットである。割り当てＣＥＦ系列は２つ以上のＣＥＦのセットからのものであり、ＣＥＦのセット内の各ＣＥＦはコンポーネント系列のセットのうち１つ以上の系列から形成され、ＣＥＦのセット内のＣＥＦはペアごとのゼロ相関ゾーン（ＺＣＺ）系列であり、それにより、ＣＥＦの各ペアはＺＣＺにわたり無視可能な相互相関出力を有し、各ＣＥＦはＺＣＺにわたりデルタ関数自己相関を有する。命令はさらに、当該デバイスに、割り当てＳＴＦ系列及び割り当てＣＥＦ系列を含む無線パケットを生成することをさせる。命令はさらに、当該デバイスに、送信リンクを通じて無線パケットを送信することをさせる。
【手続補正４】
【補正対象書類名】明細書
【補正対象項目名】００３６
【補正方法】変更
【補正の内容】
【００３６】
本明細書で用いられるとき、用語「ステーション」（ＳＴＡ）は、クライアントノード（client  node、ＣＮ）、ユーザ装置（user  equipment、ＵＥ）、移動局（mobile  station、ＭＳ）、及び他の無線対応電子デバイス（electronic  device、ＥＤ）などの、アクセスポイントとの無線接続を確立することができる任意のコンポーネント（又はコンポーネントの集合）を参照する。いくつかの実施形態において、ネットワーク１００は、リレー、低電力ノード等などの種々の他の無線デバイスを含んでもよい。例示的な実施形態において、コアネットワーク１０８は、ｍｍＷａｖｅ分散ネットワーク１０２に関する干渉管理及びトラフィック管理並びにエンジニアリングなどのネットワーク管理機能を実行するネットワーク（network、ＮＷ）コントローラ１１０を含む。
【手続補正５】
【補正対象書類名】明細書
【補正対象項目名】００６７
【補正方法】変更
【補正の内容】
【００６７】
したがって、例示的な実施形態において、４つの相補的なＧｏｌａｙ系列Ｇｃ１２８、Ｇｄ１２８、Ｇａ１２８、及びＧｂ１２８のセットが反復コンポーネント系列として使用されて、ｍｍＷａｖｅネットワーク１０２内で送信されるパケット２００のパケットプリアンブル２１２での使用のための異なる系列のセットを生成する。詳細には、利用可能なパケットプリアンブル系列は、２つの異なる非制御ＳＴＦ系列（ＳＴＦ系列４００及びＳＴＦ系列１０００）が非制御パケットのＳＴＦ２０２での使用に利用可能であり、２つの異なるＳＴＦ系列（ＳＴＦ系列４５０及びＳＴＦ系列１０５０）が制御パケットのＳＴＦ２０２での使用に利用可能であり、２つの異なるＣＥＦ系列（ＣＥＦ系列４６０及びＣＥＦ‐１系列８６０）が制御又は非制御パケットのＣＥＦ２０４での使用に利用可能であることを含む。例示的な実施形態において、８０２．１１ａｄ  ＣＥＦ系列４６０は、８０２．１１ａｄ  ＳＴＦ系列４００又は４５０と常に組み合わせられ、目下導入されているＣＥＦ‐１系列８６０は、目下導入されているＳＴＦ系列１０００又は１０５０と常に組み合わせられる。これらの組み合わせは、非制御パケットに対する２つの選択肢と制御パケットに対する２つの選択肢を含む、パケットプリアンブル２１２に対する合計４つの系列選択肢を提供する。
【手続補正６】
【補正対象書類名】明細書
【補正対象項目名】００７３
【補正方法】変更
【補正の内容】
【００７３】
一例示的な実施形態において、潜在的なノード間及びノード内干渉は、各ＡＰ１０４がそのターゲット受信チャネルについて、その隣接する近隣とは異なるプリアンブルパケット系列を受信するように、近隣ＡＰ１０４に異なるプリアンブルパケット系列を割り当てることにより緩和される。例として、図１３の場合、８０２．１１ａｄ  ＳＴＦ及びＣＥＦ系列（ＳＴＦ系列４００又は４５０、及びＣＥＦ系列４６０）は、非近隣ＡＰのＡＰ１  １０４（１）、ＡＰ３  １０４（３）などにより送信されるパケットでの使用のために割り当てられ、ＥＤＭＧ  ＳＴＦ及びＣＥＦ系列（ＳＴＦ系列１０００又は１０５０、及びＣＥＦ‐１系列８６０）は、非近隣ＡＰのＡＰ２  １０４（２）、ＡＰ４  １０４（４）などにより送信されるパケットでの使用のために割り当てられる。対応して、非近隣ＡＰのＡＰ２  １０４（２）及びＡＰ４  １０４（４）は、ターゲット受信機チャネルにおいて８０２．１１ａｄ  ＳＴＦ及びＣＥＦ系列（ＳＴＦ系列４００又は４５０、及びＣＥＦ系列４６０）を受信することを予期し、非近隣ＡＰのＡＰ１  １０４（１）、ＡＰ４  １０４（３）は、ターゲット受信機チャネルにおいてＥＤＭＧ  ＳＴＦ及びＣＥＦ系列（ＳＴＦ系列１０００又は１０５０、及びＣＥＦ‐１系列８６０）を受信することを予期する。
【手続補正７】
【補正対象書類名】明細書
【補正対象項目名】００８４
【補正方法】変更
【補正の内容】
【００８４】
図１６は、ｍｍＷａｖｅネットワーク１０２のさらなる例示的な使用ケース（ケース２）を示す。図１６の例において、ＡＰ１０４は、同時に送信及び受信することはできないが、各々、第１の時分割複信（time  division  duplex、ＴＤＤ）サブフレーム期間において複数のノードから（例えば、複数のＡＰ１０４から）パケットストリームを同時に受信し、第２のＴＤＤサブフレーム期間において複数のノードに（例えば、複数のＡＰ１０４に）パケットストリームを同時に送信することができる。図１６において、ＡＰ１０４は奇数（Ｏ）又は偶数（Ｅ）として指定され、奇数のＡＰ（すなわち、ＡＰ１  １０４（１）、ＡＰ３  １０４（３））は、第１のＴＤＤサブフレームにおいてのみ送信し、第２のＴＤＤサブフレームにおいてのみ受信するように構成される。逆に、偶数のＡＰ（すなわち、ＡＰ２  １０４（２）、ＡＰ４  １０４（４））は、第２のＴＤＤサブフレームにおいてのみ送信し、第１のＴＤＤサブフレームにおいてのみ受信するように構成される。図１６のＲＦチャネル１１２（１）、１１２（２）、及び１１２（３）を表す線上の矢印の方向は、第１のＴＤＤサブフレーム（上部）の間、奇数（Ｏ）のＡＰが偶数（Ｅ）のＡＰにのみ送信し、第２のＴＤＤサブフレーム（下部）の間、偶数（Ｅ）のＡＰが奇数（Ｏ）のＡＰにのみ送信することを示す。「奇数」及び「偶数」指定は、ネットワークコントローラ１１０によりＡＰ１０４に割り振られてもよい。
【手続補正８】
【補正対象書類名】明細書
【補正対象項目名】００８７
【補正方法】変更
【補正の内容】
【００８７】
第２のＴＤＤサブフレームの間、ＡＰ３  １０４（３）は受信専用モードで機能し、２つの受信機ターゲットチャネル、すなわち、１つのビームフォーミングアンテナでＡＰ２  １０４（２）からのターゲットパケットを受信するチャネル１１２（２）と、別のビームフォーミングアンテナでＡＰ４  １０４（４）からのターゲットパケットを受信するチャネル１１２（３）を有する。破線１６０６、１６０８は、潜在的な干渉チャネルを表す。詳細には、破線１６０６は、あり得るノード間干渉チャネルを示し、チャネル１１２（２）のために意図されたＡＰ２  １０４（２）からのパケットがチャネル１１２（３）に対して干渉パケットに潜在的になり得ることを示す。破線１６０８は、あり得るさらなるノード間干渉チャネルを示し、チャネル１１２（３）のために意図されたＡＰ４  １０４（４）からのパケットがチャネル１１２（２）に対して干渉パケットに潜在的になり得ることを示す。
【手続補正９】
【補正対象書類名】明細書
【補正対象項目名】００８９
【補正方法】変更
【補正の内容】
【００８９】
表３Ａのパケットプリアンブル系列割り当てから分かるように、ＡＰ２  １０４（２）の場合、それがその第１の受信機ターゲットチャネル１１２（１）を介してＡＰ１  １０４（１）から受信するターゲットパケットは、８０２．１１ａｄ  ＳＴＦ及びＣＥＦ系列を有し、それが干渉チャネル１６０４を介して受信する干渉パケット（実際には、ＡＰ２  １０４（２）の第２の受信機ターゲットチャネル１１２（２）のために意図された漂遊（stray）パケットである）は、ＥＤＭＧ  ＳＴＦ及びＣＥＦ系列を有する。さらに、ＡＰ２  １０４（２）がその第２の受信機ターゲットチャネル１１２（２）を介してＡＰ３  １０４（３）から受信するターゲットパケットは、ＥＤＭＧ  ＳＴＦ及びＣＥＦ系列を有し、それが干渉チャネル１６０２を介して受信する干渉パケット（実際には、ＡＰ２  １０４（２）の第１の受信機ターゲットチャネル１１２（１）のために意図された漂遊パケットである）は、８０２．１１ａｄ  ＳＴＦ及びＣＥＦ系列を有する。
【手続補正１０】
【補正対象書類名】明細書
【補正対象項目名】００９３
【補正方法】変更
【補正の内容】
【００９３】
図示の例において、第１のＴＤＤサブフレームの間、ＡＰ２  １０４（２）は受信専用モードで機能し、１つの受信機ターゲットチャネル、すなわち、ＡＰ１  １０４（１）からターゲットパケットを受信するチャネル１１２（１）のみを有する。さらに、第１のＴＤＤサブフレームの間、ＡＰ４  １０４（４）は受信専用モードで機能し、１つの受信機ターゲットチャネル、すなわち、ＡＰ３  １０４（３）からターゲットパケットを受信するチャネル１１２（３）のみを有する。第２のＴＤＤサブフレームの間、ＡＰ１  １０４（１）は受信専用モードで機能し、１つの受信機ターゲットチャネル、すなわちＡＰ２  １０４（２）からターゲットパケットを受信するチャネル１１２（１）のみを有する。さらに、第２のＴＤＤサブフレームの間、ＡＰ３  １０４（３）は受信専用モードで機能し、１つの受信機ターゲットチャネル、すなわち、ＡＰ４  １０４（４）からターゲットパケットを受信するチャネル１１２（３）のみを有する。
【国際調査報告】
2021501520.tif 000070
2021501520.tif 000071